(57)【要約】  ダウンリンクＤＲＸハイブリッド自動再送要求（ＨＡＲＱ）ラウンドトリップタイムタイマー（ｄｒｘ−ＨＡＲＱ−ＲＴＴ−ＴｉｍｅｒＤＬ）を有する間欠受信（ＤＲＸ）動作のためのユーザ機器（ＵＥ）が開示される。前記ＵＥは、その上に具現化されたコンピュータ実行可能命令を有する１つまたは複数の非一時的コンピュータ可読媒体と、１つまたは複数の前記非一時的コンピュータ可読媒体に結合され、前記ＤＲＸ動作を実行するために前記コンピュータ実行可能命令を実行するように構成された少なくとも１つのプロセッサと、を備え、前記ＤＲＸ動作は、ＤＬ  ＨＡＲＱフィードバック（前記ＤＬ  ＨＡＲＱフィードバックはダウンリンクデータに対応する）を搬送する対応する送信の終了後の一番目のシンボルにおいて、初期値から、前記ｄｒｘ−ＨＡＲＱ−ＲＴＴ−ＴｉｍｅｒＤＬを開始するステップを含む。前記初期値は、前記ダウンリンクデータが受信されるＢＷＰ（帯域幅部分）のシンボル数で表現される。
2021503856.tif 000002
【特許請求の範囲】
【請求項１】
ダウンリンクＤＲＸハイブリッド自動再送要求（ＨＡＲＱ）ラウンドトリップタイムタイマー（ｄｒｘ−ＨＡＲＱ−ＲＴＴ−ＴｉｍｅｒＤＬ）を有する間欠受信（ＤＲＸ）動作のためのユーザ機器（ＵＥ）であって、
前記ＵＥは、
その上に具現化されたコンピュータ実行可能命令を有する１つまたは複数の非一時的コンピュータ可読媒体と、
１つまたは複数の前記非一時的コンピュータ可読媒体に結合され、前記ＤＲＸ動作を実行するために前記コンピュータ実行可能命令を実行するように構成された少なくとも１つのプロセッサと、を備え、
前記ＤＲＸ動作は、
ダウンリンクデータに対応しているＤＬ  ＨＡＲＱフィードバックを搬送する対応する送信の終了後の一番目のシンボルにおいて、初期値から前記ｄｒｘ−ＨＡＲＱ−ＲＴＴ−ＴｉｍｅｒＤＬを開始するステップを含むことを特徴とするＵＥ。
【請求項２】
前記初期値は、前記ダウンリンクデータが受信されるＢＷＰ（帯域幅部分）のシンボル数で表現されることを特徴とする請求項１に記載のＵＥ。
【請求項３】
ユーザ機器（ＵＥ）のためのダウンリンクＤＲＸハイブリッド自動再送要求（ＨＡＲＱ）ラウンドトリップタイムタイマー（ｄｒｘ−ＨＡＲＱ−ＲＴＴ−ＴｉｍｅｒＤＬ）を有する間欠受信（ＤＲＸ）動作のための方法であって、
前記ＵＥの送信回路によって、ダウンリンクデータに対応するＤＬ  ＨＡＲＱフィードバックを送信するステップと、
前記ＵＥのプロセッサによって、前記ＤＬ  ＨＡＲＱフィードバックを搬送する対応する送信の終了後の一番目のシンボルにおいて、初期値から前記ｄｒｘ−ＨＡＲＱ−ＲＴＴ−ＴｉｍｅｒＤＬを開始するステップと、を含む方法。
【請求項４】
前記初期値は、前記ダウンリンクデータが受信されるＢＷＰ（帯域幅部分）のシンボル数で表現されることを特徴とする請求項３に記載の方法。
【発明の詳細な説明】
【発明の詳細な説明】
【０００１】
〔関連出願とのクロスレファレンス〕
本出願は、２０１７年１１月２２日に出願された「ＤＲＸ  Ｏｐｅｒａｔｉｏｎ  Ａｍｏｎｇ  Ｍｕｌｔｉｐｌｅ  Ｂａｎｄｗｉｄｔｈ  Ｐａｒｔｓ」という名称の米国特許仮出願第６２／５８９，６２８号、代理人整理番号ＵＳ７２３７１（以下、「ＵＳ７２３７１出願」と呼ぶ）の利益および優先権を主張する。ＵＳ７２３７１出願の開示は、参照により本出願に完全に組み込まれる。
【０００２】
〔技術分野〕
本開示は概論的には無線通信に関し、より詳細には、間欠受信（ｄｉｓｃｏｎｔｉｎｕｏｕｓ  ｒｅｃｅｐｔｉｏｎ）動作のための装置および方法に関する。
【０００３】
〔背景技術〕
ロングタームエボリューション（ＬＴＥ）または発展型ＬＴＥ（ｅＬＴＥ）ネットワークなどの無線通信ネットワークでは、１つまたは複数のユーザ機器（ＵＥ）のバッテリ寿命を維持するために、基地局とＵＥとの間で間欠受信（ＤＲＸ）が一般に使用される。例えば、ＤＲＸ中に、電力消費を低減するために、ＵＥはそのＲＦモジュールをオフにし、および／または、データ送信間の制御チャネル監視を中断し得る。ＵＥは、データ送信がない場合であっても、例えば、基地局の構成および実際のトラフィックパターンに基づいて、事前に構成されたＯＮ／ＯＦＦサイクルを有する制御チャネル（例えば、物理的ダウンリンク制御チャネル（ＰＤＣＣＨ））を周期的に監視し得る。アクティブ時間（例えば、ＯＮサイクル）の間、ＵＥは可能なデータ送信／受信指示についてＰＤＣＣＨを監視する。アクティブ時間中にデータ送信が発生したとき、ＵＥは送信を終了するためにアクティブのままであってもよい。
【０００４】
次世代（例えば、第５世代（５Ｇ）新無線（ＮＲ））無線通信ネットワークにおけるデータスケジューリングの柔軟性を高めるために、第３世代パートナーシッププロジェクト（３ＧＰＰ）は、フレーム構造形成および制御チャネル割り当てに関する新しい設計を導入した。ここで、フレーム構造内のすべての要素が、固定時間単位を有するわけではない。
【０００５】
したがって、当技術分野では、次世代無線通信ネットワークのために、ＤＲＸ動作を制御および管理するための装置および方法が必要とされている。
【０００６】
〔発明の概要〕
本開示は、複数帯域幅部分の間のＤＲＸ動作に関する。
【０００７】
〔図面の簡単な説明〕
添付の図面と共に読むと、以下の詳細な説明から、例示的な開示の態様が最も良く理解される。様々な特徴は一定の縮尺では描かれておらず、様々な特徴の寸法は、詳解を明確にするために任意に増減される場合がある。
【０００８】
図１は、本出願の例示的な実施形態による、スロット構成である。
【０００９】
図２は、本出願の例示的な実施形態による、データスケジューリングを伴い、様々なＣＯＲＥＳＥＴの（複数の）位置を示すフレーム構造を示す概略図である。
【００１０】
図３は、本出願の例示的な実施形態による、交差ＢＷＰスケジューリングを示す概略図である。
【００１１】
図４Ａは、本出願の様々な実施形態による、ＤＬ  ＲＴＴタイマー対スペクトル（ＦＤＤ）の様々な開始時間位置を示す図である。
【００１２】
図４Ｂは、本出願の様々な実施形態による、不対スペクトル（ＴＤＤ）のためのＤＬ  ＲＴＴタイマー開始時間の様々な位置を示す図である。
【００１３】
図４Ｃは、本出願の様々な実施形態による、対スペクトル（ＦＤＤ）のためのＵＬ  ＲＴＴタイマー開始時間の様々な位置を示す図である。
【００１４】
図４Ｄは、本出願の様々な実施形態による、不対スペクトル（ＴＤＤ）のためのＵＬ  ＲＴＴタイマー開始時間の様々な位置を示す図である。
【００１５】
図５は、本出願の例示的な実施形態による、ＢＷＰ非アクティブタイマーの様々な開始時間位置を示す概略図である。
【００１６】
図６Ａは、本出願の例示的な実施形態による、ＤＬ送信のための各時間区間内でのＢＷＰ切り替えを示す概略図である。
【００１７】
図６Ｂは、本出願の例示的な実施形態による、ＵＬ送信のための各時間区間内でのＢＷＰ切り替えを示す概略図である。
【００１８】
図７Ａは、本出願の例示的な実施形態による、データ受信のために基地局によってスケジュールされた非デフォルトＢＷＰのスロット長よりも長いデフォルトＢＷＰのスロット長を示す概略図である。
【００１９】
図７Ｂは、本出願の例示的な実施形態による、データ受信のために基地局によってスケジュールされた非デフォルトＢＷＰのスロット長よりも短いデフォルトＢＷＰのスロット長を示す概略図である。
【００２０】
図８は、本出願の例示的な実施形態による、無線通信のためのノードを示すブロック図である。
【００２１】
〔詳細な説明〕
以下の説明は、本開示における例示的な実施形態に関連する特定の情報を含む。本開示における図面およびそれらの添付の詳細な説明は、単に例示的な実施形態を対象としている。しかし、本開示は、これらの例示的な実施形態のみに限定されるものではない。本開示の他の変形および実施形態は、当業者には想起されるであろう。特に断らない限り、複数の図中の同様のまたは対応する要素は、同様のまたは対応する参照番号によって示され得る。さらに、本開示における図面および例示は、ほとんどの場合、一定の縮尺ではなく、実際の相対的な寸法に対応することを意図していない。
【００２２】
一貫性および容易な理解のために、同様の特徴は（いくつかの例では、図示されていないが）、例示的な図では数字によって識別される。しかし、異なる実施形態における特徴は、他の点で異なっていてもよく、したがって、図面に示されるものに狭く限定されるものではない。
【００２３】
本明細書では、「一実施形態では」または「いくつかの実施形態では」という語句を使用するが、これらの語句はそれぞれ、同じ実施形態または異なる実施形態のうちの１つまたは複数を指すことがある。「結合された（ｃｏｕｐｌｅｄ）」という用語は、直接的であろうと、介在する構成要素を介して間接的であろうと、接続されたものとして定義され、必ずしも物理的接続に限定されない。「〜を備える（ｃｏｍｐｒｉｓｉｎｇ）」という用語が使用される場合、「〜を含む（ｉｎｃｌｕｄｅ）が、必ずしもこれに限定されない」ことを意味する。「〜を備える（ｃｏｍｐｒｉｓｉｎｇ）」は、特に、そのように記載された組み合わせ、グループ、シリーズ、および均等物における非制限的な包含、または、メンバーシップを示す。
【００２４】
さらに、説明および非限定の目的のために、機能エンティティ、技法、プロトコル、標準などの具体的な詳細が、説明される技術の理解を実現するために記載される。他の例では、不必要な詳細で説明を不明瞭にしないように、周知の方法、技術、システム、アーキテクチャなどの詳細な説明は省略される。
【００２５】
当業者は、本開示に記載されている任意のネットワーク機能またはアルゴリズムが、ハードウェア、ソフトウェア、またはソフトウェアとハードウェアとの組み合わせによって実行されてもよいことを直ちに理解するだろう。記載された機能は、ソフトウェア、ハードウェア、ファームウェア、またはこれらの任意の組み合わせであり得るモジュールに対応してもよい。ソフトウェアの実装は、例えばメモリまたは他の種類の記憶装置などのコンピュータ読み取り可能媒体に記憶されたコンピュータ実行可能命令を含んでいてもよい。例えば、通信処理能力を有する１つまたは複数のマイクロプロセッサまたは汎用コンピュータは、対応する実行可能命令でプログラム化され、記載されているネットワーク機能またはアルゴリズムを実行してもよい。上記マイクロプロセッサまたは汎用コンピュータは、特定用途向け集積回路（ＡＳＩＣ）、および／または、プログラマブルロジックアレイでできていてもよい、および／または、１つまたは複数のデジタルシグナルプロセッサ（ＤＳＰ）を用いてできていてもよい。本明細書に記載されている例示的な実施形態のうちのいくつかは、コンピュータハードウェアにインストールされて該ハードウェア上で実行されるソフトウェアを対象としているが、ファームウェアとして、あるいは、ハードウェアまたはハードウェアとソフトウェアとの組み合わせとして実行される代替の例示的な実施形態は十分に本開示の範囲内のものである。
【００２６】
コンピュータ読み取り可能媒体としては、ランダムアクセスメモリ（ＲＡＭ）、読取り専用メモリ（ＲＯＭ）、消去可能プログラマブル読取り専用メモリ（ＥＰＲＯＭ）、電気的消去可能プログラマブル読取り専用メモリ（ＥＥＰＲＯＭ（登録商標））、フラッシュメモリ、コンパクトディスク読取り専用メモリ（ＣＤ  ＲＯＭ）、磁気カセット、磁気テープ、磁気ディスク記憶装置、またはコンピュータ読み取り可能命令を記憶することができる任意の他の同等の媒体が挙げられるが、これらに限定されない。
【００２７】
無線通信ネットワークアーキテクチャ（例えば、ロングタームエボリューション（ＬＴＥ）システム、ＬＴＥアドバンスト（ＬＴＥ−Ａ）システム、またはＬＴＥアドバンストＰｒｏシステム）は、少なくとも１つの基地局、少なくとも１つのユーザ装置（ＵＥ）、およびネットワークへの接続を実現する１つまたは複数の任意のネットワーク要素を典型的に含む。上記ＵＥは、上記ネットワーク（例えば、コアネットワーク（ＣＮ）、進化型パケットコア（ＥＰＣ）ネットワーク、発展型ユニバーサル無線地上波アクセスネットワーク（Ｅ−ＵＴＲＡＮ）、次世代コア（ＮＧＣ）、５Ｇコアネットワーク（５ＧＣ）またはインターネット）と、上記基地局によって構築された無線アクセスネットワーク（ＲＡＮ）を通じて、通信する。
【００２８】
なお、本出願において、ＵＥとしては、移動局、携帯ＵＥまたは携帯機器、ユーザ通信無線ＵＥが挙げられるが、これらに限定されない。例えば、ＵＥは、携帯無線装置であってもよく、該携帯無線装置としては、無線通信能力を有する携帯電話、タブレット、ウェアラブルデバイス、センサ、または個人用デジタル補助装置（ＰＤＡ）が挙げられるが、これらに限定されない。上記ＵＥは、無線アクセスネットワークにおける１つまたは複数のセルと、エアー・インターフェース上で、信号を送受信するよう構成されている。
【００２９】
基地局は、ＵＭＴＳにおけるようなノードＢ（ＮＢ）、ＬＴＥ−Ａにおいてみられるような発展型ノードＢ（ｅＮＢ）、ＵＭＴＳにおいてみられるような無線ネットワークコントローラ（ＲＮＣ）、ＧＳＭ／ＧＥＲＡＮにおいてみられるような基地局コントローラ（ＢＳＣ）、５ＧＣに関連するＥ−ＵＴＲＡ基地局においてみられるようなＮＧ−ｅＮＢ、５Ｇ−ＲＡＮにおいてみられるような次世代ノードＢ（ｇＮＢ）、およびセル内の無線通信を制御し、無線リソースを管理することができる任意の他の装置を含み得るが、これらに限定されない。基地局は、ネットワークへの無線インターフェースを介して１つまたは複数のＵＥにサービスを提供するように接続し得る。
【００３０】
基地局は、以下の無線アクセス技術（ＲＡＴ）のうちの少なくとも一つに従って、通信サービスを提供するように構成されてもよい。上記無線アクセス技術（ＲＡＴ）としては、世界相互運用マイクロ波アクセス（ＷｉＭＡＸ）、グローバルモバイル通信システム（ＧＳＭ（登録商標）、２Ｇと称されることが多い）、ＧＳＭ  ＥＤＧＥ無線アクセスネットワーク（ＧＥＲＡＮ）、汎用パケット無線サービス（ＧＲＰＳ）、基本広帯域符号分割多元接続（Ｗ−ＣＤＭＡ）に基づいたユニバーサル・モバイル・テレコミュニケーション・システム（ＵＭＴＳ、３Ｇと称されることが多い）、高速パケットアクセス（ＨＳＰＡ）、ＬＴＥ、ＬＴＥ−Ａ、ｅＬＴＥ（進化版ＬＴＥ）、新無線（ＮＲ、５Ｇと称されることが多い）および／またはＬＴＥ−Ａ  Ｐｒｏが挙げられる。しかし、本出願の範囲は、上述のプロトコルに限定すべきではない。
【００３１】
基地局は、無線アクセスネットワークを形成する複数のセルを使用して、特定の地理的エリアに無線カバレッジを提供するように動作可能である。基地局は、セルの動作をサポートする。各セルは、該セルの無線カバレッジ内の少なくとも１つのＵＥにサービスを提供するように動作可能である。より具体的には、各セル（しばしばサービングセルと称される）は、該セルの無線カバレッジ内の１つまたは複数のＵＥにサービスを提供する（例えば、各セルは、ダウンリンクおよび任意でアップリンクパケット送信のために、上記セルの無線カバレッジ内の少なくとも１つのＵＥにダウンリンクおよび任意でアップリンクリソースをスケジューリングする）。基地局は、複数のセルを介して無線通信システム内の１つまたは複数のＵＥと通信することができる。セルは、近接サービス（ＰｒｏＳｅ）をサポートするために、サイドリンク（ＳＬ）リソースを割り当ててもよい。各セルは、他のセルと重複するカバレージ領域を有してもよい。
【００３２】
上述のように、次世代（例えば、５Ｇ  ＮＲ）無線通信ネットワークのフレーム構造は、高信頼性、高データ速度、および低レイテンシ要件を満たしながら、ｅＭＢＢ、ｍＭＴＣ、ＵＲＬＬＣなどの様々な次世代通信要件に対応するためのフレキシブルな構成をサポートする。３ＧＰＰで合意された直交周波数分割多重（ＯＦＤＭ）技術は、ＮＲ波形のための基準として機能し得る。アダプティブサブキャリア間隔、チャネル帯域幅、およびサイクリックプレフィックス（ＣＰ）などのスケーラブルＯＦＤＭニューメロロジー（数秘学）も使用してもよい。さらに、ＮＲには（１）低密度パリティ検査（ＬＤＰＣ）符号および（２）ポーラ符号の２つの符号化方式が考えられる。符号化スキーム適応は、チャネル条件および／またはサービスアプリケーションに基づいて構成され得る。
【００３３】
さらに、単一のＮＲフレームの送信時間間隔ＴＸ、ダウンリンク（ＤＬ）送信データ、ガード期間、およびアップリンク（ＵＬ）送信データが少なくとも含まれるべきであり、ＤＬ送信データ、ガード期間、ＵＬ送信データのそれぞれの部分もまた、例えば、ＮＲのネットワークダイナミクスに基づいて構成可能であるべきであると考えられる。さらに、サイドリンクリソースは、ＰｒｏＳｅサービスをサポートするためにＮＲフレームで提供されてもよい。
【００３４】
ＬＴＥ無線通信システムでは、ＵＥの媒体アクセス制御（ＭＡＣ）エンティティが、ＵＥの物理ダウンリンク制御チャネル（ＰＤＣＣＨ）を制御するＤＲＸ機能性を有する無線リソース制御（ＲＲＣ）によって構成され得る。ＵＥの物理ダウンリンク制御チャネル（ＰＤＣＣＨ）は、ＭＡＣエンティティの共通無線ネットワーク一時識別子（Ｃ−ＲＮＴＩ）、送信電力制御物理アップリンク制御チャネル（ＰＵＣＣＨ）無線ネットワーク一時識別子（ＴＰＣ−ＰＵＣＣＨ−ＲＮＴＩ）、送信電力制御物理アップリンク共有チャネル（ＰＵＳＣＨ）無線ネットワーク一時識別子（ＴＰＣ−ＰＵＳＣＨ−ＲＮＴＩ）、半持続的スケジューリングＣ−ＲＮＴＩ（構成されている場合）、アップリンク（ＵＬ）半持続的スケジューリング仮想ＲＮＴＩ（構成されている場合）、トラフィック適応エンハンスド干渉軽減−ＲＮＴＩ（ｅＩＭＴＡ−ＲＮＴＩ）（構成されている場合）、サイドリンクＲＮＴＩ（Ｓ−ＲＮＴＩ）（構成されている場合）、ＳＬ−Ｖ−ＲＮＴＩ（構成されている場合）、コンポーネントキャリア−ＲＮＴＩ（ＣＣ−ＲＮＴＩ）（構成されている場合）、およびサウンディング参照信号（ＳＲＳ）−ＴＰＣ−ＲＮＴＩ（ＳＲＳ−ＴＰＣ−ＲＮＴＩ）（構成されている場合）のアクティビティを監視する。ＲＲＣ＿ＣＯＮＮＥＣＴＥＤ状態にあるとき、ＤＲＸが構成される場合、ＭＡＣエンティティは、ＤＲＸ動作を使用してＰＤＣＣＨを不連続に監視することができる。ＲＲＣは、表１のリストのように、以下のタイマーおよびパラメータを構成することでＤＲＸ動作を制御する：ＤＲＸオン持続時間タイマー（ｏｎＤｕｒａｔｉｏｎＴｉｍｅｒ）、ＤＲＸ非アクティブタイマー（ｄｒｘ−Ｉｎａｃｔｉｖｉｔｙ  Ｔｉｍｅｒ）、ＤＲＸ再送信タイマー（ｄｒｘ−Ｒｅｔｒａｎｓｍｉｓｓｉｏｎ  Ｔｉｍｅｒ）、ＤＲＸ  ＵＬ再送信タイマー（例えば、ｄｒｘ−ＵＬ  Ｒｅｔｒａｎｓｍｉｓｓｉｏｎ  Ｔｉｍｅｒ）、ＤＲＸ長サイクル（ｌｏｎｇＤＲＸ−Ｃｙｃｌｅ）、ＤＲＸ開始オフセット（ｄｒｘＳｔａｒｔＯｆｆｓｅｔ）、ＤＲＸ短サイクル（ｓｈｏｒｔＤＲＸ−Ｃｙｃｌｅ）、およびＤＲＸ短サイクルタイマー（ｄｒｘＳｈｏｒｔＣｙｃｌｅＴｉｍｅｒ）。基地局（例えば、発展型ノードＢ（ｅＮＢ））によって提供されるＤＲＸ構成に基づいて、ＵＥは正確なアクティブ時間で構成される。ＤＲＸサイクルが構成されるとき、アクティブ時間は、オン持続時間タイマー、ＤＲＸ非アクティブタイマー、ＤＲＸ再送信タイマー、ＤＲＸ  ＵＬ再送信タイマー、および／またはＭＡＣ競合解決タイマーによって示される時間を含む。
【００３５】
さらに、ＵＥのＭＡＣエンティティは、２つのＨＡＲＱタイマー、すなわち、ＨＡＲＱ  ＲＴＴタイマー（たとえば、ＨＡＲＱ−ＲＴＴ−Ｔｉｍｅｒ）およびＵＬ  ＨＡＲＱ  ＲＴＴタイマー（たとえば、ＵＬ−ＨＡＲＱ−ＲＴＴ−Ｔｉｍｅｒ）を用いて構成され得る。基地局によって提供されるＤＲＸ構成に基づいて、ＵＥは、アクティブ時間を指定し得る。ＤＲＸサイクルが構成されるとき、アクティブ時間は、ＤＲＸオン持続時間タイマー、ＤＲＸ非アクティブタイマー、ＤＲＸ再送信タイマー、ＤＲＸ  ＵＬ再送信タイマー、またはＭＡＣ競合解決タイマーが実行している間の時間を含む。
【００３６】
本出願で扱われる目的および使用方法によれば、これらのパラメータは４つの形態、すなわち、ＤＲＸサイクル、データ送信、データ再送信、およびハイブリッド自動再送要求（ＨＡＲＱ）に分類することができる。さらに、これらのパラメータは、異なる時間単位を有する可能性がある。例えば、ＤＲＸサイクルおよびＨＡＲＱに関連するパラメータはサブフレーム（ｓｆ）内の時間単位で構成され、データ送信およびデータ再送信に関連するパラメータはＰＤＣＣＨサブフレーム（ｐｓｆ）で構成される。
【００３７】
【表１】
2021503856.tif 000003
【００３８】
次世代（例えば、５Ｇ  ＮＲ）無線通信ネットワークでは、少なくとも３つの異なる種類の時間単位、すなわち、固定時間単位（ＦＴＵ）、スケーラブル時間単位（ＳＴＵ）、および絶対時間（ＡＴ）がある。例えば、サブフレーム、フレームおよびハイパーフレームはＦＴＵであり、スロットおよびシンボルはＳＴＵである。サブフレーム、フレーム、およびハイパーフレームはそれぞれ、固定長の時間、例えば、１ｍｓ、１０ｍｓ、および１０２４０ｍｓで構成される。ＬＴＥとは異なり、次世代（例えば、５Ｇ  ＮＲ）無線通信ネットワークにおけるスロット長は、シンボル長の差のために静的ではない。シンボル長は、サブキャリア間隔（ＳＣＳ）に反比例するので、サブフレーム内のスロットの数は例えば、ＳＣＳに依存して変化し得る。したがって、１つのサブフレーム内のスロットの数は変化量である。
【００３９】
図１は、本出願の例示的な実施形態による、スロット構成である。図１に示すように、ニューメロロジー（例えば、サブキャリア間隔）に応じて、１サブフレーム当たり１、２、４、８、１６または３２スロットであってもよい。ＳＴＵは、絶対時間によって提示されてもよいことに留意されたい。例えば、３シンボルは、シンボル長（例えば、通常ＣＰの場合、ＳＣＳ＝３０ＫＨｚにおいて、１／２８ミリ秒）の３つ分として提示されることもできる。次世代（例えば、５Ｇ  ＮＲ）無線通信ネットワークでは、サイクリックプレフィックス（ＣＰ）の種類（通常または拡張）に応じて、１スロット当たり１２または１４のシンボルが存在する。したがって、図１に基づいて、各ＳＣＳ構成に対する各シンボルの長さを表２に列挙する。
【００４０】
【表２】
2021503856.tif 000004
【００４１】
さらに、ＮＲでは、広帯域をいくつかの帯域幅部分（ＢＷＰ）に分割することによって、ＵＥのエネルギー消費量を低減するように、帯域幅アダプテーションのメカニズムが導入されている。時間ドメインにおけるＵＥの監視活動を減少させるＤＲＸとは異なり、ＵＥは、帯域幅アダプテーションのために、周波数ドメインにおけるＰＤＣＣＨ監視を減少させる。ＵＥが送信のために大量のＵＬ／ＤＬデータを有するとき、ＵＥは、例えばダウンリンク制御情報（ＤＣＩ）によって広帯域ＢＷＰに切り替えられてもよい。しかしながら、ＵＥがほとんどまたは全くデータトラフィックを有しない場合、ＵＥは、ＤＣＩによって明示的に、またはＢＷＰ非アクティブタイマー（例えば、ＢＷＰ−ｉｎａｃｔｉｖｉｔｙＴｉｍｅｒ）によって暗黙的に狭帯域ＢＷＰに切り替えられてもよい。
【００４２】
いくつかの実施形態では、ＵＥは、複数のＢＷＰを用いて構成され、一度に１つのＢＷＰのみがアクティブ化されてもよい。いくつかの実施形態では、ＵＥは、複数のＢＷＰを用いて構成され、２つ以上のＢＷＰが一度にアクティブ化されてもよい。
【００４３】
本出願の様々な実施形態では、ＵＥのアクティブＢＷＰは、ＤＣＩ内の指示によって、または予め構成されたＢＷＰ非アクティブタイマーによって切り替えられてもよい。ＢＷＰ切り替えにおいて、基地局（例えば、ｇＮＢ）は、ＵＥのアクティブＢＷＰを切り替えるためにＤＣＩを使用してもよく、ＢＷＰを非デフォルトＢＷＰからデフォルトＢＷＰに切り替えて戻すために、ＢＷＰ非アクティブタイマーをＵＥに構成してもよい。
【００４４】
上記のＤＲＸ導入で説明したように、いくつかのタイマー（例えば、オン持続時間タイマー、ＤＲＸ非アクティブタイマー、ＨＡＲＱ  ＲＴＴタイマー、およびＤＲＸ再送信タイマー）は、ＤＲＸ動作中にトリガされ得る。さらに、ＢＷＰ非アクティブタイマーは、ＤＲＸタイマーから独立していてもよい。例えば、トリガ条件およびＢＷＰ非アクティブタイマーのカウント方法は、ＤＲＸタイマーによって影響を受けたり干渉を受けたりすることはない。本出願で説明されるＨＡＲＱ  ＲＴＴタイマーは、ＤＬ  ＨＡＲＱ  ＲＴＴタイマーおよびＵＬ  ＨＡＲＱ  ＲＴＴタイマーを含むことができることに留意されたい。また、本出願に記載されたＤＲＸ再送信タイマーは、ＤＬ  ＤＲＸ再送信タイマーおよびＵＬ  ＤＲＸ再送信タイマーを含むことができる。
【００４５】
５Ｇ  ＮＲ無線通信ネットワークでは、２つの異なるスケジューリングメカニズム、つまり、スロットベースのスケジューリングおよび非スロットベースのスケジューリングがサポートされる。スロットベースのスケジューリングでは、各スロットはＰＤＣＣＨの機会を含むので、基地局（例えば、ｅＮＢまたはｇＮＢ）はスロットごとにデータスケジューリングを実行することができる。つまり、２つのデータスケジューリング間の最短時間間隔は、ＬＴＥ無線通信ネットワークのサブフレームよりも時間グラニュラリティが小さい５Ｇ  ＮＲ無線通信ネットワークのスロットとなり得る。非スロットベースのスケジューリングメカニズムでは、データスケジューリングはスロットとバンドルされない。ＵＥは、ＵＥが監視する必要がある時間および周波数リソース割り当て情報を含み得るＵＥ特定制御リソースセット（ＣＯＲＥＳＥＴ）構成を用いて構成されるべきである。ＣＯＲＥＳＥＴ構成は、ＣＯＲＥＳＥＴモニタの周期性も含む。ＣＯＲＥＳＥＴモニタの周期性は、シンボル（複数可）内にあることが可能である。したがって、基地局は１つのスロット内で２つ以上のデータスケジューリングを実行することができ、スロットベースのスケジューリングよりも小さい時間グラニュラリティを有することもできる。スロットベースのスケジューリングでは、ＵＥはまた、ＵＥが各スロットにおいてＰＤＣＣＨ内で監視する必要がある時間および周波数リソース割り当て情報を示すＣＯＲＥＳＥＴ構成を用いて構成されてもよい。
【００４６】
さらに、５Ｇ  ＮＲ無線通信ネットワークでは、ＤＲＸパラメータが異なる時間単位（例えば、ＦＴＵ、ＳＴＵ、またはＡＴ）で構成され得る。例えば、ＤＲＸ短サイクルタイマー（ｄｒｘ−ＳｈｏｒｔＣｙｃｌｅＴｉｍｅｒ）、ＤＲＸ長サイクル（ｄｒｘ−ＬｏｎｇＣｙｃｌｅ）、ＤＲＸオン持続時間タイマー（ｄｒｘ−ｏｎＤｕｒａｔｉｏｎＴｉｍｅｒ）、およびＤＲＸ非アクティブタイマー（ｄｒｘ−ＩｎａｃｔｉｖｉｔｙＴｉｍｅｒ）はＡＴ（例えば、ミリ秒（ｍｓ））によって構成されてもよい。このため、５Ｇ  ＮＲ無線通信ネットワークにおけるＤＲＸ動作は、ＬＴＥ無線ネットワーク通信ネットワークにおけるＤＲＸ動作に比べて柔軟性が高い。例えば、ＬＴＥネットワークでは、ＰＤＣＣＨが初期アップリンク、ダウンリンク、またはサイドリンクユーザデータ送信を示すサブフレームの後に、ＤＲＸ非アクティブタイマーはトリガされ得る。表１に示すように、ＤＲＸ非アクティブタイマーはｐｓｆで構成される。５Ｇ  ＮＲネットワークでは、ＤＲＸ非アクティブタイマーがミリ秒（ｍｓ）によって構成され得る。したがって、ＤＲＸ動作の詳細な動作は、状況に応じて調整される必要がある。例えば、短ＤＲＸサイクル、長ＤＲＸサイクル、オン持続時間タイマー、およびＤＲＸ非アクティブタイマーの開始時間および／または終了時間は、対処される必要がある。
【００４７】
ＬＴＥネットワークでは、オン持続時間タイマーが以下の２つの式のうちの１つが満たされるとトリガされ得る：
（１）短ＤＲＸサイクルが使用され、［（ＳＦＮ  ＊  １０）＋  サブフレーム番号］ｍｏｄｕｌｏ（ｓｈｏｒｔＤＲＸ−Ｃｙｃｌｅ）＝（ｄｒｘＳｔａｒｔＯｆｆｓｅｔ）ｍｏｄｕｌｏ（ｓｈｏｒｔＤＲＸ−Ｃｙｃｌｅ）
（２）長ＤＲＸサイクルが使用され、［（ＳＦＮ  ＊  １０）＋  サブフレーム番号］ｍｏｄｕｌｏ（ｌｏｎｇＤＲＸ−Ｃｙｃｌｅ）＝ｄｒｘＳｔａｒｔＯｆｆｓｅｔ
ここで、ＳＦＮはシステムフレーム番号である。
【００４８】
オン持続時間タイマーはｐｓｆで構成されているので、オン持続時間タイマーの開始時間は、オン持続時間タイマーがトリガされたときのサブフレームの先頭（各サブフレームがＰＤＣＣＨを含むため）である。しかしながら、５Ｇ  ＮＲネットワークにおけるオン持続時間タイマーは、例えばｍｓで構成され、オン持続時間タイマーの実際の開始時間は、いくつかの可能な開始位置を有することができる。
【００４９】
本出願では、ＮＲにおける複数のＢＷＰ間の様々なＤＲＸ動作を、とりわけ、オン持続時間タイマー開始時間、ＤＲＸ非アクティブタイマー開始時間、ＨＡＲＱタイマー開始時間、ＤＲＸ再送信タイマーカウント、およびＤＲＸ非アクティブタイマーの満了時のＵＥ挙動に関して説明する。
【００５０】
５Ｇ  ＮＲネットワークでは、システムフレーム当たり１０個のサブフレームと、サブフレーム当たりのＮｓｆｓｌｏｔ個のスロットと、スロット当たりのＮｓｌｏｔｓｙｍｂｏｌ個のシンボルとがある。言い換えれば、サブフレーム当たりＮｓｌｏｔｓｙｍｂｏｌ＊Ｎｓｆｓｌｏｔ個のシンボルがあり、システムフレーム当たり１０＊Ｎｓｌｏｔｓｙｍｂｏｌ＊Ｎｓｆｓｌｏｔ個のシンボルがある。
【００５１】
図２を参照すると、ＵＥは、ＣＯＲＥＳＥＴの割り当て（複数可）を示すためのいくつかのパラメータを含むＣＯＲＥＳＥＴ構成で構成され得る。例えば、ＣＯＲＥＳＥＴ構成は、ＣＯＲＥＳＥＴのための開始シンボル（ＣＯＲＥＳＥＴ−ｓｔａｒｔ−ｓｙｍｂ）および連続的なＣＯＲＥＳＥＴの持続時間（ＣＯＲＥＳＥＴ−ｔｉｍｅ−ｄｕｒａｔｉｏｎ）を含む。表３は、本出願で使用されるパラメータの略語および説明を含む。
【００５２】
【表３】
2021503856.tif 000005
【００５３】
５Ｇ  ＮＲ無線通信ネットワークでは、ＤＲＸ動作中に、基地局（例えば、ｇＮＢ）は以下のタイマーおよびパラメータを有するＤＲＸ構成を提供し得る：ＤＲＸオン持続時間タイマー（ｄｒｘ−ｏｎＤｕｒａｔｉｏｎＴｉｍｅｒ）、ＤＲＸ非アクティブタイマー（ｄｒｘ−ＩｎａｃｔｉｖｉｔｙＴｉｍｅｒ）、ＤＲＸ再送信タイマー（ｄｒｘ−ＲｅｔｒａｎｓｍｉｓｓｉｏｎＴｉｍｅｒＤＬ）、ＤＲＸ  ＵＬ再送信タイマー（ｄｒｘ−ＲｅｔｒａｎｓｍｉｓｓｉｏｎＴｉｍｅｒＵＬ）、ＤＲＸ長サイクル（ｄｒｘ−ＬｏｎｇＣｙｃｌｅ）、ＤＲＸ開始オフセット（ｄｒｘ−ＳｔａｒｔＯｆｆｓｅｔ）、ＤＲＸ短サイクル（ｄｒｘ−ＳｈｏｒｔＣｙｃｌｅ）、ＤＲＸ短サイクルタイマー（ｄｒｘ−ＳｈｏｒｔＣｙｃｌｅＴｉｍｅｒ）、ＤＲＸスロットオフセット（ｄｒｘ−ＳｌｏｔＯｆｆｓｅｔ）、ＤＲＸ  ＤＬ  ＨＡＲＱ  ＲＴＴタイマー（ｄｒｘ−ＨＡＲＱ−ＲＴＴ−ＴｉｍｅｒＤＬ）、ＤＲＸ  ＵＬ  ＨＡＲＱ  ＲＴＴタイマー（ｄｒｘ−ＨＡＲＱ−ＲＴＴ−ＴｉｍｅｒＵＬ）、およびランダムアクセス競合解決タイマー（ｒａ−ＣｏｎｔｅｎｔｉｏｎＲｅｓｏｌｕｔｉｏｎＴｉｍｅｒ）。
【００５４】
図３のダイアグラム３００に示されるように、ＵＥは、複数ＢＷＰおよびＤＲＸ動作を用いて構成される。本実施形態では、一度にアクティブ化されるＤＬおよびＵＬ  ＢＷＰは１つである。ＤＬ  ＢＷＰ  １は、デフォルトＢＷＰとして構成される。なお、デフォルトＢＷＰと他のＢＷＰのスロット長は異なっていてもよい。さらに、基地局（例えば、ｇＮＢ）は、ＵＥが複数のＢＷＰを用いて構成されているときに、交差ＢＷＰスケジューリングを実行することができる。例えば、図３に示すように、ＵＥは、複数のＤＬ  ＢＷＰ（複数のＤＬ  ＢＷＰのうちの一つはｇＮＢによって構成されたデフォルトＢＷＰである）と、アップリンク（ＵＬ）ＢＷＰとを用いて構成される。ＤＬ  ＢＷＰ  １のサブフレームｎのスロット０において、基地局は、ＵＥに、ＤＣＩによって、ＤＬ  ＢＷＰ  ２のサブフレームｎのスロット１におけるＤＬデータ受信と、ＵＬ  ＢＷＰ  １のサブフレームｎ＋１のスロット０における対応するＨＡＲＱフィードバック送信無線リソースとを指示する。
【００５５】
ケース１：ＤＲＸサイクルとデータ送信。
【００５６】
オン持続時間タイマーの開始時間の決定は、ハイパーシステムフレーム数（Ｈ−ＳＦＮ）、システムフレーム数（ＳＦＮ）、サブフレーム数、スロット数、シンボル数のうちの少なくとも１つに基づいており、また、基地局（例えば、ｇＮＢ）によって構成された特定のパラメータ（例えば、ｌｏｎｇＤＲＸ−Ｃｙｃｌｅ、ｓｈｏｒｔＤＲＸ−Ｃｙｃｌｅ、ｄｒｘＳｔａｒｔＯｆｆｓｅｔ、ｄｒｘＳｔａｒｔＯｆｆｓｅｔ＿ｓｌｏｔ、ＣＯＲＥＳＥＴ−ｓｔａｒｔ−ｓｙｍｂ、ＣＯＲＥＳＥＴ−Ｍｏｎｉｔｏｒ−ｐｅｒｉｏｄｉｃｉｔｙなど）に基づいている。
【００５７】
本実施形態では、ｌｏｎｇＤＲＸ−Ｃｙｃｌｅ、ｓｈｏｒｔＤＲＸ−Ｃｙｃｌｅ、およびｄｒｘＳｔａｒｔＯｆｆｓｅｔパラメータは、ＬＴＥネットワークのものと実質的に同様である。ｄｒｘＳｔａｒｔＯｆｆｓｅｔ＿ｓｌｏｔは、ＬＴＥネットワークにおけるｄｒｘＳｔａｒｔＯｆｆｓｅｔと同様である。ｄｒｘＳｔａｒｔＯｆｆｓｅｔは、ＤＲＸ周期の開始時からの（サブフレームレベルの）オフセットを示す一方、ｄｒｘＳｔａｒｔＯｆｆｓｅｔ＿ｓｌｏｔは、ｄｒｘＳｔａｒｔＯｆｆｓｅｔによって示されるサブフレームの一番目のスロットからの（スロットレベルの）オフセットを示す。ＵＥが複数のＢＷＰを用いて構成され得るので、各ＢＷＰについて、スロット長およびＣＯＲＥＳＥＴ構成（例えば、少なくとも１つのＰＤＣＣＨを有する２つ以上のＤＬ  ＢＷＰ）は、他のＢＷＰとは異なり得る。したがって、これらのＢＷＰ間のオン持続時間タイマーのトリガ時間の計算式は、以下のようになる：
（ａ）基地局によって設定されるデフォルトＤＬ  ＢＷＰのオン持続時間タイマー開始時間の計算；
（ｂ）基地局によって送信されるダウンリンクＲＲＣメッセージ（例えば、ＲＲＣＣｏｎｎｅｃｔｉｏｎｓｅｔｕｐ、ＲＲＣＣｏｎｎｅｃｔｉｏｎｒｅｃｏｎｆｉｇｕｒａｔｉｏｎ（またはＮＲにおけるＲＲＣｒｅｃｏｎｆｉｇｕｒａｔｉｏｎ））内の参照ＢＷＰ指示によって明示的に指示される参照ＢＷＰのオン持続時間タイマー開始時間の計算；
（ｃ）最低限のシステム情報をブロードキャストするＢＷＰを暗黙的に対象としたオン持続時間タイマーの開始時間の計算；
（ｄ）現在アクティブなＤＬ  ＢＷＰのオン持続時間タイマー開始時間の計算；
（ｅ）最も長いスロット長を有するＢＷＰのためのオン持続時間タイマー開始時間の計算；および／または、
（ｆ）最も短いスロット長を有するＢＷＰのためのオン持続時間タイマー開始時間の計算。
【００５８】
図３に示されるように、ＤＣＩ３２０は、（ＤＬ  ＢＷＰ  １におけるサブフレームｎのスロット０において）ＵＥによって復号され、（ＤＬ  ＢＷＰ  ２におけるサブフレームｎのスロット１において）新しいデータ送信／受信を指示することができる。ＤＣＩ３２０を受信および／または復号すると、ＵＥは、ＤＲＸ非アクティブタイマーをトリガ／リセットすることができる。特に、図３に示すように、ＢＷＰ切り替えＤＣＩ（例えば、ＤＣＩ３２０）と共に交差ＢＷＰスケジューリングによってアクティブＢＷＰが切り替えられるとき、複数のＢＷＰ動作中には、ＤＲＸ非アクティブタイマーの開始／再開時間としていくつかの位置がある：
（ａ）アクティブまたはデフォルトのＢＷＰ内で、ＤＲＸ非アクティブタイマーはＤＣＩを受信するスロット（例えば、ＤＬ  ＢＷＰ  １におけるサブフレームｎのスロット０）から開始または再開され得る；
（ｂ）ＵＥがデータ送信／受信のためにＢＷＰ（例えば、図３のＤＬ  ＢＷＰ  ２）に切り替わった後、ＤＲＸ非アクティブタイマーは、ＤＣＩをスケジューリングするデータの受信または送信によって指示されるスロット（例えば、ＤＬ  ＢＷＰ  ２のサブフレームｎのスロット１）から開始または再開されてもよい。
【００５９】
上記に列挙した位置（ａ）および（ｂ）の各々について、スロット内のＤＲＸ非アクティブタイマーの正確な開始時間は、ＣＯＲＥＳＥＴの終了直後（例えば、来るべき一番目のシンボルの前端）、ＰＤＣＣＨの終了時（例えば、来るべき一番目のシンボルの前端）、スロットの終了時（例えば、来るべき一番目のシンボルの前端）、またはスロットの開始時、またはスロットに含まれるサブフレームの終了時とすることができる。
【００６０】
ケース２：ＨＡＲＱおよび再送信。
【００６１】
本出願の様々な実施形態では、ＤＬおよびＵＬ  ＨＡＲＱ  ＲＴＴタイマーは、ＲＲＣシグナリングを介して構成されてもよい。ＨＡＲＱ  ＲＴＴタイマーの時間単位は、ミリ秒であってもよい。ＤＬ  ＨＡＲＱ  ＲＴＴタイマーは、ＰＵＣＣＨ送信後に開始されてもよい。例えば、ＤＬ  ＨＡＲＱ  ＲＴＴタイマーは、ＨＡＲＱフィードバックの後に開始されてもよい。ＵＬ  ＨＡＲＱ  ＲＴＴタイマーは、ＰＵＳＣＨ送信後に開始されてもよい。ＤＬ  ＤＲＸ再送信タイマーは、ＤＬ  ＨＡＲＱ  ＲＴＴタイマーが満了したときに開始されてもよい。ＵＬ  ＤＲＸ再送信タイマーは、ＵＬ  ＨＡＲＱ  ＲＴＴタイマーが満了したときに開始されてもよい。しかしながら、ＤＬ／ＵＬ  ＲＴＴタイマー、ＤＬ／ＵＬ  ＤＲＸ再送信タイマーの正確な開始時間、およびＤＬ／ＵＬ  ＤＲＸ再送信タイマーの単位は、より明確に指定される必要がある。ＮＲは、ＢＷＰ動作のための対スペクトル構成と不対スペクトル構成の両方を有する。両方のスペクトル構成が本明細書に記載されている。
【００６２】
図４Ａは、本出願の様々な実施形態による、ＤＬ  ＲＴＴタイマー対スペクトル（ＦＤＤ）の様々な開始時間位置を示す図である。
【００６３】
図４Ａのダイアグラム４００Ａに示されるように、対スペクトルのためのＤＬ  ＲＴＴタイマー開始時間としていくつかの位置がある：
（ａ）ＤＬ  ＲＴＴタイマーは、ＤＬデータ受信に対するＵＬ  ＨＡＲＱフィードバックの終了後の来るべき一番目のシンボルの前端で開始してもよい（例えば、ＤＣＩ４２０によって指示されるＤＬデータ受信４４０に対するＤＬ  ＨＡＲＱフィードバック４６０を搬送する対応する送信の終了後の一番目のシンボルにおいて、（対応するＨＡＲＱ処理についての）ｄｒｘ−ＨＡＲＱ−ＲＴＴ−ＴｉｍｅｒＤＬを開始する）；
（ｂ）ＤＬ  ＲＴＴタイマーは、ＤＬデータ受信に対するＵＬ  ＨＡＲＱフィードバックの（ＵＥがＵＬ  ＨＡＲＱフィードバックを送信するＢＷＰ内の）スロットの終了時に開始する；
（ｃ）ＤＬ  ＲＴＴタイマーは、ＤＬデータ受信に対するＵＬ  ＨＡＲＱフィードバックの後に、来るべきＣＯＲＥＳＥＴの前端から開始する；
（ｄ）ＤＬ  ＲＴＴタイマーは、ＵＥがＵＬ  ＨＡＲＱフィードバックを送信するＢＷＰ内のスロットと（時間領域において）重複する、デフォルトＢＷＰ内の一番目のスロットの終了時に開始する；かつ／または、
（ｅ）ＤＬ  ＲＴＴタイマーは、ＵＥがＤＬデータ受信に対するＵＬ  ＨＡＲＱフィードバックを送信するサブフレームの終了時に開始する。
【００６４】
図４Ｂのダイアグラム４００Ｂに示されるように、不対スペクトル（ＴＤＤ）のためのＤＬ  ＲＴＴタイマー開始時間としていくつかの位置がある：
（ａ）ＤＬ  ＲＴＴタイマーは、ＤＬデータ受信に対するＵＬ  ＨＡＲＱフィードバックの終了直後に開始してもよい； 
（ｂ）ＤＬ  ＲＴＴタイマーは、ＤＬデータ受信に対するＵＬ  ＨＡＲＱフィードバックの（ＵＥがＵＬ  ＨＡＲＱフィードバックを送信するＢＷＰ内の）スロットの終了時で開始してもよい；
（ｃ）ＤＬ  ＲＴＴタイマーは、ＵＥがＵＬ  ＨＡＲＱフィードバックを送信するＢＷＰ内のスロットと（時間領域において）重複する、デフォルトＢＷＰ内の一番目のスロットの終了時に開始してもよい；かつ／または、
（ｄ）ＤＬ  ＲＴＴタイマーは、ＵＥがＤＬデータ受信に対するＵＬ  ＨＡＲＱフィードバックを送信するサブフレームの終了時に開始してもよい。
【００６５】
図４Ｃのダイアグラム４００Ｃに示されるように、対スペクトル（ＦＤＤ）のためのＵＬ  ＲＴＴタイマー開始時間としていくつかの位置がある：
（ａ）ＵＬ  ＲＴＴタイマーは、ＵＬデータ送信の終了直後に開始してもよい（例えば、対応する（例えば、ＵＬ−ｄａｔａを有する）ＰＵＳＣＨ送信の終了後の一番目のシンボルにおいて、（対応するＨＡＲＱ処理についての）ｄｒｘ−ＨＡＲＱ−ＲＴＴ−ＴｉｍｅｒＵＬを開始する）；
（ｂ）ＵＬ  ＲＴＴタイマーは、ＵＥがＵＬデータを送信する（ＵＥがＵＬデータを送信するＢＷＰ内の）スロットの終了時に開始してもよい；
（ｃ）ＵＬ  ＲＴＴタイマーは、ＵＬデータ送信後の来るべきＣＯＲＥＳＥＴの前端から開始してもよい；
（ｄ）ＵＬ  ＲＴＴタイマーは、ＵＥがＵＬデータを送信するＢＷＰ内のスロットと（時間領域において）重複する、デフォルトＢＷＰ内の一番目のスロットの終了時に開始してもよい；および／または、
（ｅ）ＵＬ  ＲＴＴタイマーは、ＵＥがＵＬデータを送信するサブフレームの終了時に開始してもよい。
【００６６】
図４Ｄのダイアグラム４００Ｄに示されるように、不対スペクトル（ＴＤＤ）のためのＵＬ  ＲＴＴタイマー開始時間としていくつかの位置がある：
（ａ）ＵＬ  ＲＴＴタイマーは、ＵＬデータ送信の終了直後に開始してもよい；
（ｂ）ＵＬ  ＲＴＴタイマーは、ＵＥがＵＬデータを送信する（ＵＥがＵＬデータを送信するＢＷＰ内の）スロットの終了時に開始してもよい；
（ｃ）ＵＬ  ＲＴＴタイマーは、ＵＥがＵＬデータを送信するＢＷＰ内のスロットと（時間領域において）重複する、デフォルトＢＷＰ内の一番目のスロットの終了時に開始してもよい；および／または、
（ｄ）ＵＬ  ＲＴＴタイマーは、ＵＥがＵＬデータを送信するサブフレームの終了時に開始してもよい。
【００６７】
ＵＬ  ＲＴＴタイマーの値は、スロット／シンボルインデックスとＵＬ  ＲＴＴタイマーの値との間のマッピングを有する所定のテーブルに基づいて決定されてもよい。さらに、このテーブルは、ニューメロロジーおよび／またはＳＣＳおよび／またはスロットフォーマット関連情報（ＳＦＩ）固有のものであり得る。それは、ＵＥが、アクティブＢＷＰのニューメロロジー、ＳＣＳおよびスロットフォーマットに対応して、ニューメロロジーおよび／またはＳＣＳおよび／またはスロットフォーマット固有のテーブルを適用する必要があり得ることを意味している。
【００６８】
ＲＴＴタイマーおよびＤＲＸ再送信タイマーは、データ再送信時間のインターバル中において、ＵＥのＤＲＸ状態遷移を制御するように構成される。これらのタイマーの構成は、基地局のスケジューリングおよび制御チャネル割振り／機会（たとえば、ＣＯＲＥＳＥＴ構成）に密接に関係する。したがって、これらのタイマーの値および単位は、フレーム構造に何らかの依存性を有することがある。例えば、上記構成は、ＣＯＲＥＳＥＴの期間およびスロットの長さを考慮する必要がある。
【００６９】
いくつかの実施形態では、基地局は、ＵＥに対して、ＲＴＴタイマーおよびＤＲＸ再送信タイマーの複数の構成を構成することができ、各構成は、構成されたＢＷＰに対応する。いくつかの実施形態では、ＵＥは、異なるスロット長を有する各ＢＷＰに対応する、ＲＴＴタイマーおよびＤＲＸ再送信タイマーの構成を有することができる。いくつかの実施形態では、ＵＥは、デフォルトＢＷＰに対するＲＴＴタイマーおよびＤＲＸ再送信タイマーの一方の構成と、デフォルトＢＷＰ以外のＢＷＰに対するＲＴＴタイマーおよびＤＲＸ再送信タイマーの他方の構成とを有することができる。いくつかの実施形態では、ＵＥは、各セルに対応するＲＴＴタイマーおよびＤＲＸ再送信タイマーの構成を有することができる。いくつかの他の実施形態では、ＵＥは、プライマリセル（ＰＣｅｌｌ）に対するＲＴＴタイマーの一方の構成およびＤＲＸ再送信タイマーの一方の構成と、すべてのセカンダリセル（ＳＣｅｌｌ）に対するＲＴＴタイマーの他方の構成およびＤＲＸ再送信タイマーの他方の構成とを有することができる。いくつかの他の実施形態では、ＵＥは、ＲＲＣエンティティごとに対応する、ＲＴＴタイマーおよびＤＲＸ再送信タイマーの１つの構成を有することができる。そのような場合、共通のＲＴＴタイマーおよびＤＲＸ再送信タイマーは、各ＲＲＣエンティティ内のすべてのＢＷＰ（デフォルトＢＷＰ、アクティブＢＷＰ）を用いて、すべてのセル（ＰＣｅｌｌ、（複数の）ＳＣｅｌｌ）に適用され得る。また、共通のＲＲＴタイマーおよびＤＲＸ再送信タイマーは、関連するセル／ＢＷＰに基づいて自動的にスケーリングされる時間単位を与えられ得る。マスタノード（ＭＮ）／セカンダリノード（ＳＮ）は、それぞれ、関連するＲＲＣエンティティの構成に基づいて、異なったＲＴＴタイマーおよびＤＲＸ再送信タイマーを有することができることに留意されたい。
【００７０】
いくつかの実施形態では、基地局は、ＳＴＵを用いてＲＴＴタイマーおよびＤＲＸ再送信タイマーを構成してもよい。ＳＴＵは、ＡＴと共に存在してもよいことに留意されたい。例えば、３シンボルは、ミリ秒（ｍｓ）において、シンボル長の３倍（例えば、通常のＣＰケースの場合、ＳＣＳ＝３０ＫＨｚに対して、３＊（１／２８ｍｓ））として存在することができる。この存在タイプは、ｍｓにおけるＳＴＵと呼ぶことができる。それは、基地局が、ＲＴＴタイマーおよびＤＲＸ再送信タイマーの値および存在タイプの単位を別々に構成し得ることを意味する。
【００７１】
いくつかの実施形態では、ｄｒｘ−ＨＡＲＱ−ＲＴＴ−ＴｉｍｅｒＤＬは、トランスポートブロック（例えば、ダウンリンクデータ）を受信するＢＷＰのシンボルの個数で表される。いくつかの実施形態では、ｄｒｘ−ＨＡＲＱ−ＲＴＴ−ＴｉｍｅｒＵＬは、トランスポートブロック（例えば、アップリンクデータ）を送信するＢＷＰのシンボルの個数で表される。
【００７２】
異なるスロット長を有する各ＢＷＰは、ｍｓにおける異なる単位構成を有してもよい。いくつかの実施形態では、値はＢＷＰ間で共有される（例えば、同じものを保持する）ことができる。それは、ＵＥがＢＷＰを切り替えると、ＵＥは、ＲＴＴタイマーおよびＤＲＸ再送信タイマーの値構成を保持し得るが、ｍｓにおける新しいＢＷＰに対応する単位構成を適用することを意味する。ＲＴＴタイマーおよびＤＲＸ再送信タイマーの単位は、それぞれ、固有の時間長、シンボル長、スロット長、シンボルの倍数、デフォルトＢＷＰにおけるスロット長、参照ＢＷＰ、ＣＯＲＥＳＥＴ期間、または時間単位の最小グラニュラリティを有することができる。
【００７３】
ＤＬ／ＵＬ  ＲＴＴタイマーが満了するとき、ＵＥは、対応するＤＲＸ  ＤＬ／ＵＬ再送信タイマーを開始することができる。以下は、ＤＲＸ  ＤＬ／ＵＬ再送信タイマーの正確な開始時間の様々な位置である：
（ａ）ＤＬ／ＵＬ  ＲＴＴタイマーが満了した後の来るべきスロットの（時間領域における）前端；
（ｂ）ＤＬ／ＵＬ  ＲＴＴタイマーが満了した後の来るべきシンボルの（時間領域における）前端（例えば、ｄｒｘ−ＨＡＲＱ−ＲＴＴ−ＴｉｍｅｒＤＬの満了後の一番目のシンボルにおいてｄｒｘ−ＲｅｔｒａｎｓｍｉｓｓｉｏｎＴｉｍｅｒＤＬを開始する、またはｄｒｘ−ＨＡＲＱ−ＲＴＴ−ＴｉｍｅｒＵＬの満了後の一番目のシンボルにおいてｄｒｘ−ＲｅｔｒａｎｓｍｉｓｓｉｏｎＴｉｍｅｒＵＬを開始する）；
（ｃ）ＤＬ／ＵＬ  ＲＴＴタイマーが満了した後の来るべきＣＯＲＥＳＥＴの（時間領域における）前端；および／または、
（ｄ）ＤＬ／ＵＬ  ＲＴＴタイマーが満了した後の来るべきＰＤＣＣＨの（時間領域における）前端。
【００７４】
上述の全ての端は、現在のアクティブＢＷＰ、ＲＴＴタイマー満了時間に最も近い端を有する任意の構成されたＢＷＰ、基地局によって構成された所定のＢＷＰ、現在のアクティブＢＷＰの対ＢＷＰ、またはデフォルトＢＷＰのいずれかに適用され得る。また、ＵＥが送信されたＵＬデータに対するＨＡＲＱ  ＡＣＫを受信した場合、ＤＲＸ  ＵＬ再送信タイマーは、動作中に終了することができる。いくつかの実施形態では、ＵＥがＤＲＸ  ＵＬ再送信タイマーが開始する前に、送信されたＵＬデータのためのＨＡＲＱ  ＡＣＫを受信した場合、ＤＲＸ  ＵＬ再送信タイマーの開始／トリガをスキップすることができる。
【００７５】
いくつかの実施形態では、ｄｒｘ−ＲｅｔｒａｎｓｍｉｓｓｉｏｎＴｉｍｅｒＤＬは、トランスポートブロックを受信するＢＷＰのスロット長の数で表される。いくつかの実施形態では、ｄｒｘ−ＲｅｔｒａｎｓｍｉｓｓｉｏｎＴｉｍｅｒＵＬは、トランスポートブロックを送信するＢＷＰのスロット長の数で表される。
【００７６】
ケース３：ＢＷＰ非アクティブタイマー。
【００７７】
本出願の様々な実施形態では、ＵＥは、デフォルトＤＬ  ＢＷＰからデフォルトＤＬ  ＢＷＰ以外のＤＬ  ＢＷＰに、例えばＤＣＩによって切り替えるときに、基地局によって構成されたＢＷＰ非アクティブタイマーを開始してもよい。いくつかの実施形態では、ＢＷＰ切り替えを指示するために使用されるＤＣＩは、データスケジュールを含んでもよい。さらに、ＵＥは、アクティブＤＬ  ＢＷＰにおいて物理ダウンリンク共有チャネル（ＰＤＳＣＨ）をスケジューリングするためにＤＣＩを正常に復号したとき、ＢＷＰ非アクティブタイマーを再開してもよい。ＵＥは、ＵＥのアクティブＤＬ  ＢＷＰにおいてＰＤＳＣＨ（複数可）をスケジュールするためにＤＣＩを正常に復号したとき、上記タイマーを初期値へ再開させる。ＵＥは、上記タイマーが満了するとき、そのアクティブＤＬ  ＢＷＰをデフォルトのＤＬ  ＢＷＰに切り替える。ＢＷＰ非アクティブタイマーの正確な開始時間の様々な位置および単位を以下に説明する。
【００７８】
図５のダイアグラム５００において、基地局は、ＢＷＰ２のスロット２におけるＤＬデータ受信を指示するために、およびＢＷＰ切り替えの実行をＵＥに指示するために、ＢＷＰ１のスロット０においてＵＥにＤＣＩを送信してもよい。ＢＷＰ非アクティブタイマーの開始時間にはいくつかの位置がある：
（ａ）ＢＷＰ切り替えのためにＤＣＩを送信するＣＯＲＥＳＥＴの終了時；
（ｂ）ＢＷＰ切り替えのためにＤＣＩを送信するＣＯＲＥＳＥＴを含むＰＤＣＣＨの終了時；
（ｃ）ＤＬデータ受信のためにスケジュールされたＢＷＰ内の、ＤＣＩ送信後に来るべきスロットの（時間領域における）前端；
（ｄ）ＤＬデータ受信のためにスケジュールされたＢＷＰ内の、ＤＣＩ送信後に来るべきスロットのＣＯＲＥＳＥＴの開始時間；
（ｅ）ＢＷＰ切り替えのためにＤＣＩを送信するスロットの終了時；
（ｆ）ＤＬデータ受信のためにスケジュールされたＢＷＰ内のスロットの（時間領域における）前端；
（ｇ）ＤＬデータ受信のためにスケジュールされたＢＷＰ内のスロットのＣＯＲＥＳＥＴ開始時；
（ｈ）ＤＬデータ受信のためにスケジュールされたＢＷＰ内の、スケジュールされたＤＬデータ受信の開始時間；
（ｉ）ＤＬデータ受信のためにスケジュールされたＢＷＰ内の、スケジュールされたＤＬデータ受信の終了時；および／または、
（ｊ）ＤＬデータ受信のためにスケジュールされたＢＷＰ内の、スケジュールされたＤＬデータ受信が終了したスロットの終了時。
【００７９】
さらに、基地局は、データスケジューリング情報を含むことなく、構成されたＢＷＰ切り替えタイマーの初期値を再開、一時停止、無効化、および／または変更するか、または、構成されたＢＷＰ切り替えタイマーの単位を変更する（ただし、設定された値については保持する）ことをＵＥに指示するために、固有ＤＣＩを適用してもよい。上記指示は、予め定義された、または予め構成されたルックアップテーブルに基づいて基地局によって決定され得る。ＵＥは、ＢＷＰ非アクティブタイマーを無効にするように指示された場合、または、ＢＷＰ非アクティブタイマーを用いて構成されていない場合、ＵＥがＲＲＣ＿ＩＤＬＥ状態に遷移するまで、そのアクティブＢＷＰをデフォルトＢＷＰに戻すように切り替えることができない。例えば、ＵＥは、非デフォルトＢＷＰにおいてＲＲＣ＿ＩＤＬＥ状態に遷移する場合、ＲＲＣ＿ＣＯＮＮＥＣＴＥＤ状態に戻る遷移を必要とするとき、非デフォルトＢＷＰに再び入るべきではない。ＢＷＰ切り替えを指示するＤＣＩ内で、基地局は、ＢＷＰ非アクティブタイマーをトリガするかどうかに関して、ＵＥに指示してもよい。そうでない場合、ＵＥは、ＢＷＰ切り替え指示を受信して、ＲＲＣ＿ＩＤＬＥまたはＲＲＣ＿ＩＮＡＣＴＩＶＥ状態に遷移するまで、そのアクティブＢＷＰを切り替えることができない。
【００８０】
いくつかの実施形態では、基地局は、ＢＷＰ非アクティブタイマーをゼロ長で構成するか、またはＢＷＰ非アクティブタイマーの構成をスキップしてもよい。ＵＥは、ＤＬデータ受信が別のＢＷＰにあることを示すＤＣＩをデフォルトＢＷＰから受信すると、まず、ＢＷＰ非アクティブタイマーをトリガすることなく、ＤＬデータ受信のためのＢＷＰに切り替える。ＵＥは、次いで、ＤＬデータ受信が終了した直後、またはＤＬデータのためのＨＡＲＱフィードバックが終了した後、またはＤＬデータのためのＡＣＫメッセージを伴うＨＡＲＱフィードバックが終了した後に、デフォルトＢＷＰに切り替え戻す。
【００８１】
いくつかの他の実施形態では、基地局は、ＤＣＩ内のＢＷＰ非アクティブタイマーをトリガするかどうかを、ＵＥに暗黙的または明示的に指示してもよい。基地局がＢＷＰ非アクティブタイマーをトリガしないことを指示する場合、ＵＥは、データ送受信のためのＢＷＰ切り替えを実行する。ＵＥは、また、データ送受信が終了した直後、またはデータ送受信のためのＨＡＲＱフィードバック／受信が終了した後、またはデータ送受信のためのＡＣＫメッセージを伴うＨＡＲＱフィードバック／受信が終了した後に、デフォルトＢＷＰに切り替え戻す。
【００８２】
ＢＷＰ非アクティブタイマー用の単位は、ＳＴＵの長さの倍数で構成されてもよい。ＳＴＵは、デフォルトＢＷＰのシンボル、参照ＢＷＰのシンボル、基地局によって指示されるアクティブＢＷＰのシンボル、デフォルトＢＷＰのスロット、参照ＢＷＰのスロット、基地局によって指示されるアクティブＢＷＰのスロット、サブフレーム、フレームまたはＵＥ固有のページング周期（ＲＡＮページングまたはコアネットワークページング方式）、基地局によって指示されるアクティブＢＷＰのＣＯＲＥＳＥＴ期間、デフォルトＢＷＰのＣＯＲＥＳＥＴ期間、参照ＢＷＰのＣＯＲＥＳＥＴ期間であってもよい。別の実施形態では、ＢＷＰ非アクティブタイマーは、直接的にｍｓにおける固有の時間長で構成され得る。
【００８３】
ケース４：ＢＷＰ切り替えの影響。
【００８４】
ケース４では、ＤＲＸタイマー（例えば、オン持続時間タイマー、ＤＲＸ非アクティブタイマー、ＨＡＲＱ  ＲＴＴタイマー、およびＤＲＸ再送信タイマー）が動作している間の、様々なＢＷＰ切り替え動作が説明される。
【００８５】
図６Ａは、本出願の例示的な実施形態による、基地局がアクティブＢＷＰ内でＤＬデータ受信を指示するケースを示す。本実施形態において、基地局は、割り当てられたＤＬデータ受信に対するＵＥのＨＡＲＱフィードバックを受信した後、データ再送信を実行する。
【００８６】
図６Ｂは、本出願の例示的な実施形態による、基地局がアクティブＢＷＰ内のＵＬデータ送信を指示するケースを示す。ここで、本実施形態において、ＵＥは、割り当てられたＵＬデータ送信のために、基地局からＨＡＲＱフィードバックを受信した後、データ再送信を実行する。ＤＬおよびＵＬの両方の場合において、オン持続時間タイマー、ＤＲＸ非アクティブタイマー、ＨＡＲＱ  ＲＴＴタイマー、およびＤＲＸ再送信タイマーが、適宜トリガされる。
【００８７】
以下では、ＤＬおよびＵＬの両方のデータ送信のための全ＤＲＸ動作のそれぞれの時間区域（時間区間）内に（例えば、アクティブＢＷＰ（非デフォルト）からデフォルトＢＷＰへの）ＢＷＰ切り替えの結果として生じるＵＥの動作／作用について説明する。ＤＬおよびＵＬのデータ送信のための時間区間は、それぞれ図６Ａおよび図６Ｂに示されている。
【００８８】
図６Ａに示すように、ＢＷＰ切り替えは、それぞれの時間区域の中でＤＬデータ送信中に生じてもよい。
【００８９】
ダイアグラム６００Ａでは、区域Ａは、オン持続時間タイマーが開始するときに開始し、基地局によるＤＬデータ受信を指示するＤＣＩによってＤＲＸ非アクティブタイマーが開始するときに終了し得る。
【００９０】
区域Ｂは、ＤＲＸ非アクティブタイマーが開始するときに開始し、スケジュールされたＤＬデータ受信の開始時に終了し得る。
【００９１】
区域Ｃは、スケジュールされたＤＬデータ受信の開始時から開始し、スケジュールされたＤＬデータ受信で終了し得る。
【００９２】
区域Ｄは、（スケジュールされたＤＬデータ受信がオン持続時間内である場合に、）スケジュールされたＤＬデータ受信の終了時から開始し、オン持続時間タイマーの満了時に終了し得る。
【００９３】
区域Ｅは、オン持続時間タイマーの満了時から開始し、ＤＲＸ非アクティブタイマーの満了時に終了し得る。
【００９４】
区域Ｆは、ＤＲＸ非アクティブタイマーの満了時から開始し、ＤＬ  ＨＡＲＱ  ＲＴＴタイマーの開始時に終了し得る。ＤＲＸ非アクティブタイマーの構成に応じて、区域Ｆは条件付きで存在し得る。
【００９５】
区域Ｇは、ＤＬ  ＨＡＲＱ  ＲＴＴタイマーの開始時から開始し、ＤＬ  ＨＡＲＱ  ＲＴＴタイマーの満了時に終了し得る。基地局のスケジューリングに応じて、区域Ｇは、オン持続時間タイマーおよび／またはＤＲＸ非アクティブタイマーが実行されている間の時間区間と、条件付きで重なり得る。
【００９６】
区域Ｈは、ＤＬ  ＤＲＸ再送信タイマーの開始時から開始し、ＤＬ再送信タイマーの満了時に終了し得る。
【００９７】
ＢＷＰ非アクティブタイマーの満了によってトリガされるＢＷＰ切り替えについて、各区域内のＵＥの反応を以下に説明する。
【００９８】
区域Ａでは、ＵＥは、新しいＢＷＰに切り替え、オン持続時間タイマーを実行し続ける。
【００９９】
区域Ｂでは、ＵＥが新しいデータ受信を指示するＤＣＩを受信すると、ＢＷＰ非アクティブタイマーが再開されるので、基地局は、ＢＷＰ非アクティブタイマーが満了するよりも早い受信のためのデータをスケジューリングする。たとえそれが起こっても、ＵＥは、このデータ受信と、データ受信に対応するＨＡＲＱフィードバックとを中止する。別の実施形態では、ＵＥは、スケジュールされたデータ受信後までＢＷＰ切り替えを延期し、新しいＢＷＰにおいて対応するＨＡＲＱフィードバックを実行する。いくつかの他の実施形態では、ＵＥは、ＢＷＰ非アクティブタイマーが満了した後に、デフォルトＢＷＰに切り替え戻し、スケジュールされたデータ受信時にスケジュールされたデータを受信するために、ＢＷＰに切り替え戻す。データ受信後、ＵＥはＢＷＰに留まり、対応するＨＡＲＱフィードバックを実行する。いくつかの他の実施形態では、ＵＥは、スケジュールされたデータ受信および対応するＨＡＲＱフィードバックが終了するまで、ＢＷＰ切り替えを延期する。いくつかの実施形態では、ＵＥは、スケジュールされたデータ受信および対応するＨＡＲＱフィードバックが終了するまで（ＨＡＲＱフィードバックがＡＣＫ／ＮＡＣＫである場合にのみ）、ＢＷＰ切り替えを延期する。ＵＥがこのスケジュールされたデータ受信を中止する場合、ＤＲＸ非アクティブタイマーもスキップ（停止）されてもよい。
【０１００】
区域Ｃでは、ＵＥが新しいデータ受信を指示するＤＣＩを受信すると、ＢＷＰ非アクティブタイマーが再開されるので、基地局は、ＢＷＰ非アクティブタイマーが満了するよりも早く終了する受信のためのデータをスケジューリングする。たとえそれが起こっても、ＵＥは、このデータ受信を中止するか、またはスケジュールされたデータ受信が終了するまでＢＷＰ切り替えを延期してもよい。いくつかの他の実施形態では、ＵＥは、スケジュールされたデータ受信が終了し、対応するＨＡＲＱフィードバックが終了するまで、ＢＷＰ切り替えを延期する。いくつかの他の実施形態では、ＵＥは、スケジュールされたデータ受信および対応するＨＡＲＱフィードバックが終了するまで（ＨＡＲＱフィードバックがＡＣＫ／ＮＡＣＫである場合にのみ）、ＢＷＰ切り替えを延期する。ＵＥがスケジュールされたデータ受信を中止する場合、ＤＲＸ非アクティブタイマーは、動作を継続するか、または停止することができる。
【０１０１】
区域Ｄでは、ＵＥは、ＢＷＰを直ちに切り替え、ＤＲＸ非アクティブタイマーとオン持続時間タイマーの両方を実行し続ける。さらに、ＤＲＸ非アクティブタイマーおよびオン持続時間タイマーは、新しいＢＷＰに切り替わった後、実行を続けるか、または停止することができる。いくつかの実施形態では、新しいＢＷＰに切り替わった後に、オン持続時間タイマーは実行し続けるが、ＤＲＸ非アクティブタイマーを停止する。いくつかの他の実施形態では、ＵＥは、オン持続時間タイマーが満了するまで、ＢＷＰ切り替えを延期する。別の実施形態では、ＵＥは、ＤＲＸ非アクティブタイマーが満了するまで、ＢＷＰ切り替えを延期する。さらに別の実施形態では、ＵＥは、対応するＨＡＲＱフィードバックを終了させるまで、ＢＷＰ切り替えを延期する。さらに別の実施形態では、ＵＥは、（ＨＡＲＱフィードバックがＡＣＫ／ＮＡＣＫである場合にのみ、）対応するＨＡＲＱフィードバックを終了させるまで、ＢＷＰ切り替えを延期する。ＵＥは、直ちにＢＷＰを切り替える場合、元のＢＷＰおよび新しいＢＷＰにおいて、対応するＨＡＲＱフィードバックを中止することができる。さらに別の実施形態では、ＵＥは、対応するＨＡＲＱ処理の所定回数のラウンドが終了するまで、ＢＷＰ切り替えを延期する。
【０１０２】
区域Ｅでは、ＵＥは、ＢＷＰを直ちに切り替え、ＤＲＸ非アクティブタイマーを実行し続ける。さらに、ＤＲＸ非アクティブタイマーは、新しいＢＷＰに切り替えた後、実行を続けるか、または停止することができる。別の実施形態では、ＵＥは、ＤＲＸ非アクティブタイマーが満了するまで、ＢＷＰ切り替えを延期する。さらに別の実施形態では、ＵＥは、対応するＨＡＲＱフィードバックが終了するまで、ＢＷＰ切り替えを延期する。いくつかの実施形態では、（ＨＡＲＱフィードバックがＡＣＫ／ＮＡＣＫである場合にのみ）、ＵＥが対応するＨＡＲＱフィードバックが終了するまでＢＷＰ切り替えを延期する。ＵＥは、直ちにＢＷＰを切り替える場合、元のＢＷＰおよび新しいＢＷＰの両方において、対応するＨＡＲＱフィードバックを中止することができる。いくつかの他の実施形態では、ＵＥは、対応するＨＡＲＱ処理の所定回数のラウンドが終了するまで、ＢＷＰ切り替えを延期する。
【０１０３】
区域Ｆでは、ＵＥはＢＷＰを直ちに切り替える。一実施形態では、ＵＥは、対応するＨＡＲＱフィードバックが終了するまで、ＢＷＰ切り替えを延期する。別の実施形態では、（ＨＡＲＱフィードバックがＡＣＫ／ＮＡＣＫである場合にのみ、）ＵＥは、対応するＨＡＲＱフィードバックが終了するまで、ＢＷＰ切り替えを延期する。ＵＥは、直ちにＢＷＰを切り替える場合、元のＢＷＰおよび新しいＢＷＰの両方において、対応するＨＡＲＱフィードバックを中止することができる。ＵＥは、ＢＷＰを直ちに切り替える場合、ＤＲＸ動作を維持する（例えば、オン持続時間タイマー、ＤＲＸ非アクティブタイマー、またはＤＲＸ再送信タイマーのいずれもトリガされない場合は、ＤＲＸオフとする）。さらに別の実施形態では、ＵＥは、対応するＨＡＲＱ処理の所定回数のラウンドが終了するまで、ＢＷＰ切り替えを延期する。
【０１０４】
区域Ｇでは、ＵＥはＢＷＰを直ちに切り替える。他の実施形態では、ＵＥは、対応する全てのＨＡＲＱ処理が終了するまで、ＢＷＰ切り替えを延期する。別の実施形態では、ＵＥは、対応するＨＡＲＱ処理の所定回数のラウンドが終了するまで、ＢＷＰ切り替えを延期する。ＵＥは、ＢＷＰを直ちに切り替える場合、ＨＡＲＱ処理を維持する（例えば、ＨＡＲＱ関連再送信カウンター（複数可）を維持する）か、または元のＢＷＰおよび新しいＢＷＰにおける対応するデータ再受信を中止し、実行中のＤＬ  ＨＡＲＱ  ＲＴＴタイマーを停止する。ＵＥは、ＢＷＰを直ちに切り替える場合、ＤＲＸ動作を維持する（例えば、オン持続時間タイマー、ＤＲＸ非アクティブタイマー、またはＤＲＸ再送信タイマーのいずれもトリガされない場合は、ＤＲＸオフとする）。しかしながら、区域Ｇが、オン持続時間タイマーおよびＤＲＸ非アクティブタイマーの両方が実行中である時間区間と重複する場合、オン持続時間タイマーおよびＤＲＸ非アクティブタイマーに対する取扱いは区域Ｄの説明と同様である。別の実施形態では、区域Ｇが、ＤＲＸ非アクティブタイマーのが実行中である時間区間と重複する場合、オン持続時間タイマーおよびＤＲＸ非アクティブタイマーに対する取扱いは区域Ｅの説明と同様である。
【０１０５】
区域Ｈでは、ＵＥはＢＷＰを直ちに切り替える。他の実施形態では、ＵＥは、対応する全てのＨＡＲＱ処理が終了するまで、ＢＷＰ切り替えを延期する。さらに別の実施形態では、ＵＥは、対応するＨＡＲＱ処理の所定回数のラウンドが終了するまで、ＢＷＰ切り替えを延期する。ＵＥは、ＢＷＰを直ちに切り替える場合、ＨＡＲＱ処理を維持する（例えば、ＨＡＲＱ関連再送信カウンター（複数可）を維持する）か、または元のＢＷＰおよび新しいＢＷＰにおける対応するデータ再受信を中止し、実行中のＤＬ  ＤＲＸ再送信タイマーを停止する。ＵＥは、ＢＷＰを直ちに切り替える場合、ＤＲＸ動作を維持する（例えば、オン持続時間タイマー、ＤＲＸ非アクティブタイマー、またはＤＲＸ再送信タイマーのいずれもトリガされない場合は、ＤＲＸオフとする）。
【０１０６】
いくつかの実施形態では、例えば、上記の区域Ｂ、Ｄ、およびＥにおいて、ＵＥは、その時点でアクティブＵＬ  ＢＷＰを有する一方、ＤＬ  ＢＷＰにおけるＰＤＳＣＨ受信を指示するＤＣＩを受信する。ＵＬ  ＢＷＰがＰＤＳＣＨ送信の対応するＨＡＲＱフィードバックの前に切り替えられる場合、ＵＥは、ＨＡＲＱフィードバック情報を送信することを予定しない。ＨＡＲＱフィードバックは、肯定応答（ＡＣＫ）および否定応答（ＮＡＣＫ）という２つの解釈を有することに留意されたい。ここで、ＮＲ内のＨＡＲＱフィードバックは、ＨＡＲＱ−ＡＣＫ情報ビットとして表され、ＨＡＲＱ−ＡＣＫ情報ビット値０はＮＡＣＫを表し、ＨＡＲＱ−ＡＣＫ情報ビット値１はＡＣＫを表す。
【０１０７】
ＤＣＩ指示によってトリガされるＢＷＰ切り替えにおいても、各区域内のＵＥの反応は、ＢＷＰ非アクティブタイマー満了によってトリガされるＢＷＰ切り替えの場合に説明されたものと同様の位置を有する。相違点としては、ＵＥがＤＣＩによって、複数の位置のうちの１つをとるように明示的または暗黙的に指示され得ることである。
【０１０８】
図６Ｂのダイアグラム６００Ｂに示されるように、ＢＷＰ切り替えは、それぞれの時間区域の中でＵＬデータ送信中に生じてもよい。
【０１０９】
区域Ａは、オン持続時間タイマーが開始するときに開始し、基地局によるＵＬデータ受信を指示するＤＣＩによってＤＲＸ非アクティブタイマーが開始するときに終了し得る。
【０１１０】
区域Ｂは、ＤＲＸ非アクティブタイマーが開始するときに開始し、スケジュールされたＵＬデータ送信の開始時に終了し得る。
【０１１１】
区域Ｃは、スケジュールされたＵＬデータ送信の開始時から開始し、スケジュールされたＵＬデータ送信で終了し得る。
【０１１２】
区域Ｄは、ＵＬ  ＨＡＲＱ  ＲＴＴタイマーの開始時から開始し、ＵＬ  ＨＡＲＱ  ＲＴＴタイマーの満了時で終了し得る。ＤＲＸ非アクティブタイマーの構成によって、区域Ｄ内に３つの考えられるサブ区域（例えば、区域Ｄ１、Ｄ２およびＤ３）があることに留意されたい。
【０１１３】
区域Ｄ１では、オン持続時間タイマー、ＤＲＸ非アクティブタイマー、およびＵＬ  ＨＡＲＱ  ＲＴＴタイマーがすべて実行中である時間区間が、ＵＬ  ＨＡＲＱ  ＲＴＴタイマーの開始時から開始し、オン持続時間タイマーの満了時に終了する。
【０１１４】
区域Ｄ２では、ＤＲＸ非アクティブタイマーおよびＵＬ  ＨＡＲＱ  ＲＴＴタイマーの両方が実行中である時間区間が、持続時間タイマーの満了時から開始し、ＤＲＸ非アクティブタイマーの満了時に終了する。
【０１１５】
区域Ｄ３では、ＵＬ  ＨＡＲＱ  ＲＴＴタイマーのみが実行中である時間区間が、ＤＲＸ非アクティブタイマーの満了時から開始し、ＵＬ  ＨＡＲＱ  ＲＴＴタイマーの満了時に終了する。
【０１１６】
区域Ｅは、オン持続時間タイマーの満了時から開始し、ＤＲＸ非アクティブタイマーの満了時に終了し得る。
【０１１７】
区域Ｆは、ＤＲＸ非アクティブタイマーの満了時から開始し、ＵＬ  ＨＡＲＱ  ＲＴＴタイマーの満了時（ＵＬ  ＤＲＸ再送信タイマーの開始時）に終了し得る。
【０１１８】
区域Ｇは、ＵＬ  ＤＲＸ再送信タイマーの開始時から開始し、ＵＬ  ＤＲＸ再送信タイマーの満了時に終了し得る。
【０１１９】
ＢＷＰ非アクティブタイマーの満了によってトリガされるＢＷＰ切り替えについて、各区域内のＵＥの反応を以下に説明する。
【０１２０】
区域Ａでは、ＵＥが新しいＢＷＰに切り替わり、オン持続時間タイマーを実行し続ける。
【０１２１】
区域Ｂでは、ＵＥが新しいデータ送信を指示するＤＣＩを受信すると、ＢＷＰ非アクティブタイマーが再開されるので、基地局は、ＢＷＰ非アクティブタイマーが満了するよりも早い送信のためのデータをスケジューリングする。たとえそれが起こったとしても、ＵＥは、このデータ送信を中止するか、またはスケジュールされたデータ送信後までＢＷＰ切り替えを延期することができる。別の実施形態では、ＵＥは、スケジュールされたデータ送信が終了し、対応するＨＡＲＱ受信が終了するまで、ＢＷＰ切り替えを延期する。さらに別の実施形態では、ＵＥは、スケジュールされたデータ送信が終了し、対応するＨＡＲＱ受信が終了するまで（ＨＡＲＱ受信がＡＣＫ／ＮＡＣＫである場合にのみ）、ＢＷＰ切り替えを延期する。ＵＥがこのスケジュールされたデータ送信を中止する場合、ＤＲＸ非アクティブタイマーもスキップ（停止）されてもよい。
【０１２２】
区域Ｃでは、ＵＥが新しいデータ送信を指示するＤＣＩを受信すると、ＢＷＰ非アクティブタイマーが再開されるので、基地局は、ＢＷＰ非アクティブタイマーが満了するよりも早く終了する送信のためのデータをスケジューリングする。たとえそれが起こっても、ＵＥは、このデータ送信を中止するか、またはスケジュールされたデータ受信が終了するまでＢＷＰ切り替えを延期してもよい。別の実施形態では、ＵＥは、スケジュールされたデータ送信が終了し、対応するＨＡＲＱ受信が終了するまで、ＢＷＰ切り替えを延期する。さらに別の実施形態では、ＵＥは、スケジュールされたデータ送信が終了し、対応するＨＡＲＱ受信が終了するまで（ＨＡＲＱ受信がＡＣＫ／ＮＡＣＫである場合にのみ）、ＢＷＰ切り替えを延期する。ＵＥがこのスケジュールされたデータ送信を中止する場合、ＤＲＸ非アクティブタイマーは、動作を継続するか、または中止することができる。
【０１２３】
区域Ｄ１では、ＵＥは、ＢＷＰを直ちに切り替え、ＤＲＸ非アクティブタイマー、オン持続時間タイマー、およびＵＬ  ＲＴＴタイマーの全てを実行し続ける。さらに、ＤＲＸ非アクティブタイマー、オン持続時間タイマー、およびＵＬ  ＲＴＴタイマーは、新しいＢＷＰに切り替わった後、実行を続けるか、または停止することができる。別の実施形態では、ＤＲＸ非アクティブタイマーおよびオン持続時間タイマーは、実行し続けることができるが、ＵＬ  ＲＴＴタイマーは、新しいＢＷＰに切り替わった後に停止することができる。さらに別の実施形態では、ＵＥは、オン持続時間タイマーが満了するまで、ＢＷＰ切り替えを延期する。さらに別の実施形態では、ＵＥは、ＤＲＸ非アクティブタイマーが満了するまで、ＢＷＰ切り替えを延期する。いくつかの実施形態では、ＵＥは、対応するＨＡＲＱ受信が終了するまで、ＢＷＰ切り替えを延期する。いくつかの他の実施形態では、ＵＥは、（ＨＡＲＱ受信がＡＣＫ／ＮＡＣＫである場合にのみ、）対応するＨＡＲＱ受信が終了するまで、ＢＷＰ切り替えを延期する。ＵＥは、直ちにＢＷＰを切り替える場合、元のＢＷＰおよび新しいＢＷＰの両方において、対応するＨＡＲＱ受信を中止することができる。さらに別の実施形態では、ＵＥは、対応するＨＡＲＱ処理の所定回数のラウンドが終了するまで、ＢＷＰ切り替えを延期する。
【０１２４】
区域Ｄ２では、ＵＥがＢＷＰを直ちに切り替え、ＤＲＸ非アクティブタイマーおよびＵＬ  ＨＡＲＱ  ＲＴＴタイマーの両方を実行し続ける。さらに、ＤＲＸ非アクティブタイマーおよびＵＬ  ＨＡＲＱ  ＲＴＴタイマーは、ＵＥが新しいＢＷＰに切り替わった後に、実行を続けるか、または停止することができる。別の実施形態では、ＤＲＸ非アクティブタイマーは実行し続けるが、ＵＬ  ＨＡＲＱ  ＲＴＴタイマーは停止する。さらに別の実施形態では、ＵＥは、ＤＲＸ非アクティブタイマーが満了するまで、ＢＷＰ切り替えを延期する。さらに別の実施形態では、ＵＥは、対応するＨＡＲＱ受信を終了させるまで、ＢＷＰ切り替えを延期する。いくつかの実施形態では、ＵＥは、（ＨＡＲＱ受信がＡＣＫ／ＮＡＣＫである場合にのみ、）対応するＨＡＲＱ受信が終了するまで、ＢＷＰ切り替えを延期する。ＵＥは、直ちにＢＷＰを切り替える場合、元のＢＷＰおよび新しいＢＷＰにおいて、対応するＨＡＲＱ受信を中止することができ、ＵＬ  ＤＲＸ再送信はトリガされない。いくつかの他の実施形態では、ＵＥは、対応するＨＡＲＱ処理の所定回数のラウンドを終了させるまで、ＢＷＰ切り替えを延期する。
【０１２５】
区域Ｄ３では、ＵＥはＢＷＰを直ちに切り替える。別の実施形態では、ＵＥは、対応するＨＡＲＱ受信が終了するまで、ＢＷＰ切り替えを延期する。さらに別の実施形態では、ＵＥは、（ＨＡＲＱフィードバックがＡＣＫ／ＮＡＣＫである場合にのみ、）対応するＨＡＲＱ受信を終了した後に、ＢＷＰ切り替えを延期する。ＵＥは、ＢＷＰを直ちに切り替える場合、元のＢＷＰおよび新しいＢＷＰにおいて、対応するＨＡＲＱ受信を中止することができ、ＵＬ  ＤＲＸ再送信はトリガされない。ＵＥは、ＢＷＰを直ちに切り替える場合、ＵＥはＤＲＸ動作を維持する（例えば、オン持続時間タイマー、ＤＲＸ非アクティブタイマー、またはＤＲＸ再送信タイマーのいずれもトリガされない場合は、ＤＲＸオフとする）。いくつかの実施形態では、ＵＥは、対応するＨＡＲＱ処理の所定回数のラウンドが終了するまで、ＢＷＰ切り替えを延期する。
【０１２６】
区域Ｅでは、ＵＥはＢＷＰを直ちに切り替える。いくつかの実施形態では、ＵＥは、対応する全てのＨＡＲＱ処理が終了するまで、ＢＷＰ切り替えを延期する。いくつかの他の実施形態では、ＵＥは、対応するＨＡＲＱ処理の所定回数のラウンドが終了するまで、ＢＷＰ切り替えを延期する。ＵＥは、ＢＷＰを直ちに切り替える場合、ＨＡＲＱ処理を維持する（例えば、ＨＡＲＱ関連再送信カウンターを維持する）か、または元のＢＷＰおよび上記新しいＢＷＰにおける対応するデータ再送信を中止し、実行中のＵＬ  ＤＲＸ再送信タイマーを停止する。ＵＥは、ＢＷＰを直ちに切り替える場合、ＤＲＸ動作を維持する（例えば、オン持続時間タイマー、ＤＲＸ非アクティブタイマー、またはＤＲＸ再送信タイマーのいずれもトリガされない場合は、ＤＲＸオフとする）。
【０１２７】
ＤＣＩ指示によってトリガされるＢＷＰ切り替えにおいても、各区域内のＵＥの反応は、ＢＷＰ非アクティブタイマー満了によってトリガされるＢＷＰ切り替えの場合に説明されたものと同様の位置を有してもよい。複数の相違点は、ＵＥがＤＣＩによって、複数の位置のうちの１つをとるように明示的または暗黙的に指示され得ることを含む。
【０１２８】
ＵＥが新しいＢＷＰに切り替わることに関して、全ての区域内で、例えば、ＵＥは、ＢＷＰ１（ＳＣＳ＝１２０ＫＨｚ、通常ＣＰ、１／１１２ｍｓシンボル長）からＢＷＰ２（ＳＣＳ＝３０ＫＨｚ、通常ＣＰ、１／２８ｍｓシンボル長）に切り替わる。ＵＥは進行中のタイマー（任意のＤＲＸタイマー（例えば、オン持続時間タイマー、ＤＲＸ非アクティブタイマー、ＨＡＲＱ  ＲＴＴタイマー、およびＤＲＸ再送信タイマー））のすべてをカウントし続けることができ、したがって、挙動は、いくつかの選択肢を有する。例えば、ＢＷＰ切り替えが生じたとき、ＵＥは、ｄｒｘ−ＨＡＲＱ−ＲＴＴ−ＴｉｍｅｒＤＬを中断させることなく、実行させ続けることができる。また、ＢＷＰ切り替えが生じたとき、ＵＥは、ｄｒｘ−ＨＡＲＱ−ＲＴＴ−ＴｉｍｅｒＤＬが停止または満了した後に、ｄｒｘ−ＨＡＲＱ−ＲＴＴ−ＴｉｍｅｒＤＬを更新することができる。
【０１２９】
いくつかの実施形態では、例えば、上記区域Ｂ、Ｄ及びＥにおいて、ＵＥは、ＤＣＩの検出時点とＰＵＣＣＨにおける対応するＨＡＲＱ−ＡＣＫ情報送信時点の間のＰＣｅｌｌにおいて、アクティブＵＬ  ＢＷＰを変更した場合、ＨＡＲＱ−ＡＣＫ情報を送信することを予定しない。
【０１３０】
タイマー（任意のＤＲＸタイマー（例えば、オン持続時間タイマー、ＤＲＸ非アクティブタイマー、ＨＡＲＱ  ＲＴＴタイマー、およびＤＲＸ再送信タイマー））が、絶対時間で構成されるための２つの選択肢がある。
【０１３１】
ＵＥは、新しいＢＷＰに切り替わる場合、進行中の全てのタイマーをカウントし続けることができる。しかしながら、ＵＥは、新しいＢＷＰ上の構成に基づいてカウントするタイマーに変更してもよい。
【０１３２】
選択肢１：ＵＥがＢＷＰ２に切り替えられた後、ＵＥはタイマーをリアルタイムでカウントさせ続け、シンボルまたはスロット長が変化したかどうかを考慮しない。タイマーがシンボルおよび／またはスロットの途中で満了すると、ＵＥは、満了時間を現在のシンボルおよび／またはスロットの終わりまで延長する。
【０１３３】
選択肢２：この場合、タイマーがシンボルおよび／またはスロットの途中で満了すると、タイマーの予測される満了時間がシンボルおよび／またはスロットの途中にある場合、ＵＥは、前もって、タイマーが最後の完全なシンボルおよび／またはスロットの終了時に満了することを可能にする。
【０１３４】
任意のＤＲＸタイマー（例えば、オン持続時間タイマー、ＤＲＸ非アクティブタイマー、ＨＡＲＱ  ＲＴＴタイマー、およびＤＲＸ再送信タイマー）が、ＳＴＵまたはｍｓで表されるＳＴＵで構成されるための３つの選択肢がある。
【０１３５】
選択肢１：タイマーはＳＴＵの数（ＢＷＰ１におけるシンボル長である１／１１２ｍｓ）をカウントしており、次いで、ＢＷＰ２に切り替わった後、ＵＥはステップの数をカウントし続けるが、ステップをＢＷＰ２の構成（ＢＷＰ２におけるシンボル長である１／２８ｍｓ）に変更する。一実施形態では、シンボルがスロットまたはＵＥ固有のコアセット期間によって置き換えることができる。一旦、切り替え時間がＢＷＰ２のＳＴＵの途中に入ると、ＵＥはＳＴＵもカウントする。
【０１３６】
選択肢２：切り替え時間がＢＷＰ２のＳＴＵの途中に入ると、ＵＥはＳＴＵの比例数をカウントする。
【０１３７】
選択肢３：切り替え時間がＢＷＰ２のＳＴＵの途中に入ると、ＵＥはＳＴＵのカウントを無視する。
【０１３８】
ケース５：例外的なケース。
【０１３９】
基地局は、別のＤＬ  ＢＷＰでのＤＬデータ受信をスケジューリングするために、デフォルトＢＷＰでＤＣＩを送信する。図７Ａに示すように、データ受信のために、デフォルトＢＷＰのスロット長は、基地局によってスケジュールされたＤＬ  ＢＷＰ２のスロット長よりも長い。
【０１４０】
図７Ａに示すように、基地局は、ＤＣＩが送信されるスロットの区間（ＤＬ  ＢＷＰ１のスロット０）内の別のＢＷＰ内の（複数の）スロット（例えば、ＤＬ  ＢＷＰ２のスロット０〜スロット３）内でデータ受信／送信をスケジューリングしない。
【０１４１】
別の実施形態では、ＵＥは、ＢＷＰ切り替えを終了するために、最大ＢＷＰ切り替えレイテンシ（ＭＢＳＬ）要件に従う。ＭＢＳＬは、基地局へのＵＥ能力報告であってもよい。別の実施形態では、ＭＢＳＬは、基地局によって構成されるが、ＵＥの能力も考慮に入れて決定されてもよい。２つの異なった区域があり、それらはデータをスケジュールするように、またはデータをスケジュールすることを許可しないように構成することができる（ＵＥはＰＤＣＣＨを監視する必要はない）。図７Ａのダイアグラム７００Ａに示すように、区域Ａと区域Ｂとの２つの区域がある。区域Ａは、最大ＢＷＰ切り替えレイテンシの終了時から開始し、ＤＣＩを送信するスロットで終了する。区域Ｂは、区域Ａの終了時から開始し、スケジュールされたデータ受信の開始時に終了する。
【０１４２】
別の実施態様では、区域Ｂをいくつかのサブ区域に分割することができる。例えば、その時間区間は、区域Ａの終了時から開始し、スケジュールされたデータ受信のスロットの開始時、またはスケジュールされたデータ受信のスロットのＣＯＲＥＳＥＴの開始時で終わる。
【０１４３】
図７Ｂに示すように、デフォルトＢＷＰのスロット長は、データ受信のために基地局によってスケジュールされたＤＬ  ＢＷＰ２のスロット長よりも短い。
【０１４４】
図７Ｂの図７００Ｂに示すように、基地局は、ＤＣＩが送信されるスロットの区間（ＤＬ  ＢＷＰ１のスロット０）内の別のＢＷＰ内の（複数の）スロット（例えば、ＤＬ  ＢＷＰ  ２のスロット０）内でデータ受信／送信をスケジューリングしない。別の実施形態では、基地局は、ＤＣＩが送信されるスロット（ＤＬ  ＢＷＰ１のスロット０）と時間区間が揃っている別のＢＷＰ（ＤＬ  ＢＷＰ２）内の時間区間内でデータ受信／送信をスケジューリングしない。
【０１４５】
別の実施形態では、ＵＥは、ＢＷＰ切り替えを終了するための要件（例えば、ＭＢＳＬ要件）に従う。ＭＢＳＬは、基地局へのＵＥ能力報告であってもよい。さらに別の実施形態では、ＭＢＳＬは、基地局によって構成されるが、ＵＥの能力も考慮に入れて決定されてもよい。２つの異なった区域があり、それらはデータをスケジュールするように、またはデータをスケジュールすることを許可しないように構成することができる（ＵＥはＰＤＣＣＨを監視する必要はない）。図７Ｂに示すように、区域Ａと区域Ｂとの２つの区域がある。区域Ａは、最大ＢＷＰ切り替えレイテンシの終了時から開始し、データ受信をスケジュールするスロットの開始時に終了する。区域Ｂは、区域Ａの終了時から開始し、スケジュールされたデータ受信の開始時に終了する。
【０１４６】
別の実施態様では、区域Ｂをいくつかのサブ区域に分割することができる。例えば、その時間区間は、区域Ａの終了時から開始し、スケジュールされたデータ受信のスロットの開始時、またはスケジュールされたデータ受信のスロットのＣＯＲＥＳＥＴの開始時で終わる。
【０１４７】
なお、ＤＬおよびＵＬのＭＢＳＬは異なっていてもよいことに留意されたい。
【０１４８】
本出願の様々な実施形態では、ＤＲＸ動作内のアクティブ時間は、その間にＭＡＣエンティティがＰＤＣＣＨおよびＵＥ固有の制御ソースセットを監視する、ＤＲＸ動作に関連する時間としてもよい。ＤＲＸサイクルが構成されるとき、アクティブ時間は、以下の時間を含む：オン持続時間タイマーまたはＤＲＸ非アクティブタイマーまたはＤＲＸ  ＤＬ再送信タイマーまたはＤＲＸ  ＵＬ再送信タイマーが、ＲＲＣエンティティごとの任意のアクティブセル上の任意のＢＷＰに対して、実行されている間；または、アクティブ時間中に、ＵＥが、それぞれのアクティブセル上の任意のアクティブ帯域幅部分内のＰＤＣＣＨおよびＵＥ固有の制御リソースセットを監視する時間。
【０１４９】
図８は、本出願の様々な態様に係る、無線通信のためのノードのブロック図を示す。図８に示すように、ノード８００は、トランシーバ８２０、プロセッサ８２６、メモリ８２８、１つまたは複数の表示コンポーネント８３４、および少なくとも１つのアンテナ８３６を備える。ノード８００はまた、ＲＦスペクトル帯域モジュール、基地局通信モジュール、ネットワーク通信モジュール、およびシステム通信管理モジュール、入力／出力（Ｉ／Ｏ）ポート、Ｉ／Ｏコンポーネント、および電源（図８には明示的に示されていない）を含み得る。これらの構成要素のそれぞれは、１つまたは複数のバス８４０を通じて、直接または間接的に、互いに通信することができる。一実施形態において、ノード８００は、例えば、図１から図７Ｂを参照して本明細書中に説明した様々な機能を実行するＵＥまたは基地局であり得る。
【０１５０】
（送信回路を有する）送信機８２２および（受信回路を有する）受信機８２４を備えるトランシーバ８２０は、時間および／または周波数リソース分割情報を送信および／または受信するように構成され得る。いくつかの実施形態において、トランシーバ８２０は、使用可能、使用不可能、および柔軟に使用可能なサブフレームおよびスロットフォーマットを含むが、これらに限定されない、異なるタイプのサブフレームおよびスロットで送信するように構成され得る。トランシーバ８２０は、データおよび制御チャネルを受信するように構成され得る。
【０１５１】
ノード８００は、様々なコンピュータ読み取り可能媒体を備えることができる。コンピュータ読み取り可能媒体は、ノード８００によってアクセスすることができ、揮発性および不揮発性媒体、リムーバブルおよび非リムーバブル媒体の両方を含む、任意の利用可能な媒体とすることができる。限定ではなく例として、コンピュータ読み取り可能媒体は、コンピュータ記憶媒体および通信媒体を含み得る。コンピュータ記憶媒体は、コンピュータ読み取り可能命令、データ構造、プログラムモジュール、または他のデータなどの情報を記憶するための任意の方法または技術で実装される、揮発性および不揮発性、リムーバブルおよび非リムーバブル媒体の両方を含む。
【０１５２】
コンピュータ記憶媒体は、ＲＡＭ、ＲＯＭ、ＥＥＰＲＯＭ（登録商標）、フラッシュメモリまたは他のメモリ技術、ＣＤ−ＲＯＭ、デジタル多用途ディスク（ＤＶＤ）または他の光ディスク記憶装置、磁気カセット、磁気テープ、磁気ディスク記憶装置または他の磁気記憶装置を含む。コンピュータ記憶媒体は、伝播データ信号を含まない。通信媒体は、典型的には、コンピュータ読み取り可能命令、データ構造、プログラムモジュール、または他のデータを、搬送波または他のトランスポート機構などの変調データ信号で具現化し、任意の情報配信媒体を含む。用語「変調されたデータ信号」は、その特性のうちの１つまたは複数が、信号内の情報を符号化するように設定または変更された信号を意味する。限定ではなく例として、通信媒体は、有線ネットワークまたは直接有線接続などの有線媒体と、音響、ＲＦ、赤外線、および他の無線媒体などの無線媒体とを含む。上記のいずれかの組合せも、コンピュータ読み取り可能媒体の範囲内に含まれるべきである。
【０１５３】
メモリ８２８は、揮発性および／または不揮発性メモリの形態のコンピュータ記憶媒体を含むことができる。メモリ８２８は、取り外し可能、取り外し不能、またはそれらの組み合わせであってもよい。例示的なメモリは、ソリッドステートメモリ、ハードドライブ、光ディスクドライブなどを含む。図８に示すように、メモリ８２８は、実行されると、プロセッサ８２６（例えば、処理回路）に、例えば、図１から図７Ｂを参照して本明細書で説明する様々な機能を実行させるように構成されたコンピュータ読み取り可能でコンピュータ実行可能命令８３２（例えば、ソフトウェアコード）を格納することができる。あるいは、命令８３２は、プロセッサ８２６によって直接実行可能ではなく、ノード８００に（例えば、コンパイルされ実行されるときに）本明細書で説明される様々な機能を実行させるように構成されてもよい。
【０１５４】
プロセッサ８２６は、インテリジェントハードウェアデバイス、例えば、中央処理装置（ＣＰＵ）、マイクロコントローラ、ＡＳＩＣなどを含み得る。プロセッサ８２６は、メモリを含み得る。プロセッサ８２６は、メモリ８２８から受信したデータ８３０および命令８３２、ならびにトランシーバ８２０、ベースバンド通信モジュール、および／またはネットワーク通信モジュールを介した情報を処理することができる。プロセッサ８２６は、また、アンテナ８３６を介して、コアネットワークへの送信のためにネットワーク通信モジュールに送信するために、トランシーバ８２０に送信されるべき情報を処理することもできる。
【０１５５】
１つまたは複数の表示コンポーネント８３４は、個人または他のデバイスにデータ表示を提示する。例示的な表示コンポーネント８３４は、表示デバイス、スピーカー、印刷コンポーネント、振動コンポーネントなどを含む。
【０１５６】
上記の説明から、様々な技術が、これらの概念の範囲から逸脱することなく、本出願で説明される概念を実行するために使用され得ることが明らかである。さらに、概念は、特定の実施形態を特に参照して説明されてきたが、当業者は、それらの概念の範囲から逸脱することなく、形態および詳細において変更を行うことができることを認識するであろう。したがって、説明された実施形態は、すべての点において、例示的なものであり、限定的なものではないと考えられるべきである。また、本出願は、上述の特定の実施形態に限定されるものではなく、本開示の範囲から逸脱することなく、多くの再構成、修正、および置換が可能であることを理解されたい。
【図面の簡単な説明】
【０１５７】
【図１】本出願の例示的な実施形態による、スロット構成である。
【図２】本出願の例示的な実施形態による、データスケジューリングを伴い、様々なＣＯＲＥＳＥＴの（複数の）位置を示すフレーム構造を示す概略図である。
【図３】本出願の例示的な実施形態による、交差ＢＷＰスケジューリングを示す概略図である。
【図４Ａ】本出願の様々な実施形態による、ＤＬ  ＲＴＴタイマー対スペクトル（ＦＤＤ）の様々な開始時間位置を示す図である。
【図４Ｂ】本出願の様々な実施形態による、不対スペクトル（ＴＤＤ）のためのＤＬ  ＲＴＴタイマー開始時間の様々な位置を示す図である。
【図４Ｃ】本出願の様々な実施形態による、対スペクトル（ＦＤＤ）のためのＵＬ  ＲＴＴタイマー開始時間の様々な位置を示す図である。
【図４Ｄ】本出願の様々な実施形態による、不対スペクトル（ＴＤＤ）のためのＵＬ  ＲＴＴタイマー開始時間の様々な位置を示す図である。
【図５】本出願の例示的な実施形態による、ＢＷＰ非アクティブタイマーの様々な開始時間位置を示す概略図である。
【図６Ａ】本出願の例示的な実施形態による、ＤＬ送信のための各時間間隔内でのＢＷＰ切り替えを示す概略図である。
【図６Ｂ】本出願の例示的な実施形態による、ＵＬ送信のための各時間間隔内でのＢＷＰ切り替えを示す概略図である。
【図７Ａ】本出願の例示的な実施形態による、データ受信のために基地局によってスケジュールされた非デフォルトＢＷＰのスロット長よりも長いデフォルトＢＷＰのスロット長を示す概略図である。
【図７Ｂ】本出願の例示的な実施形態による、データ受信のために基地局によってスケジュールされた非デフォルトＢＷＰのスロット長よりも短いデフォルトＢＷＰのスロット長を示す概略図である。
【図８】本出願の例示的な実施形態による、無線通信のためのノードを示すブロック図である。
【図１】
2021503856.tif 000006
【図２】
2021503856.tif 000007
【図３】
2021503856.tif 000008
【図４Ａ】
2021503856.tif 000009
【図４Ｂ】
2021503856.tif 000010
【図４Ｃ】
2021503856.tif 000011
【図４Ｄ】
2021503856.tif 000012
【図５】
2021503856.tif 000013
【図６Ａ】
2021503856.tif 000014
【図６Ｂ】
2021503856.tif 000015
【図７Ａ】
2021503856.tif 000016
【図７Ｂ】
2021503856.tif 000017
【図８】
2021503856.tif 000018
【国際調査報告】
2021503856.tif 000019